(57)【要約】【課題】液晶表示手段が良好に支持された可動液晶表示装置を有する遊技機を提供する。【解決手段】遊技機は、上下方向に移動可能に設けられた可動式の第１の液晶表示装置（可動液晶表示装置）２２Ａを備えている。第１の液晶表示装置２２Ａは、第１の液晶表示領域２３Ａを前面に有する第１の液晶パネル７１と、第１の液晶パネル７１の一部を覆う第１の装飾カバー７２と、第１の液晶パネル７１の後面に対向する第１の板金部材７３とを含む。第１の装飾カバー７２および第１の板金部材７３は、第１の液晶パネル７１を、第１の装飾カバー７２と第１の板金部材７３とによって前後から挟んだ状態で支持する。【選択図】図１４
2018117683.tif 000002
【特許請求の範囲】
【請求項１】
所定の方向に移動可能に設けられた可動式の可動液晶表示装置を有する遊技機において、
前記可動液晶表示装置は、
液晶表示領域を前面に有する液晶表示手段と、
前記液晶表示手段の後側に位置する板金部材とを含み、
前記液晶表示手段を、前記板金部材によって支持したことを特徴とする、遊技機。
【請求項２】
前記可動液晶表示装置は、
前記液晶表示手段の前側に位置し、前記板金部材との間で前記液晶表示手段を前後に挟む前側部材をさらに含み、
前記前側部材および前記板金部材は、前記液晶表示手段を支持する液晶支持手段として機能する、請求項１に記載の遊技機。
【請求項３】
前記板金部材は、前記液晶表示手段の後面の周縁部に対向する周縁部対向領域を有している、請求項１に記載の遊技機。
【請求項４】
前記前側部材は、前記液晶表示手段の各端面を支持する支持部を有している、請求項１〜３のいずれか一項に記載の遊技機。
【請求項５】
前記可動液晶表示装置は、前記前側部材の前記支持部と前記板金部材の前記周縁部の少なくとも一部と、を固定する固定手段をさらに含む、請求項１〜４のいずれか一項に記載の遊技機。
【請求項６】
前記板金部材には、軽量化用の穴部、放熱用の穴部および配線引き回し用の穴部のうち少なくとも一種が少なくとも設けられている、請求項１〜５のいずれか一項に記載の遊技機。
【発明の詳細な説明】
【技術分野】
【０００１】
この発明は、所定の方向に移動可能な可動液晶表示装置を有する遊技機に関する。
【背景技術】
【０００２】
下記特許文献１には、左右方向に移動可能な可動液晶表示装置を有する弾球遊技機が記載されている。下記特許文献１では、可動式の液晶表示装置は、透明な支持板と、この支持板の後ろ側に配置された液晶表示パネルと、液晶表示パネルを後ろ側から保護する保護ケースとを含む。
【先行技術文献】
【特許文献】
【０００３】
【特許文献１】特開２０１３−１７６６８号公報
【発明の概要】
【発明が解決しようとする課題】
【０００４】
特許文献１の支持板および保護ケースとしては、たとえば樹脂製のものを用いることが考えられる。
本願発明者は、可動液晶表示装置に、大型の液晶表示パネルを搭載することを検討している。しかしながら、大型の液晶表示パネルは、大きさの分だけ重量も大きい。そのため、樹脂製の支持板や保護ケースでは強度や剛性が足らず、大型の液晶表示パネルを良好に支持することができない。
【０００５】
すなわち、所定の方向に移動可能な可動液晶表示装置において液晶表示手段（液晶表示パネル）を良好に支持することが求められている。
そこで、本発明は、液晶表示手段が良好に支持された可動液晶表示装置を有する遊技機を提供することを目的とする。
【課題を解決するための手段】
【０００６】
前記の目的を達成するための請求項１に記載の発明は、所定の方向に移動可能に設けられた可動式の可動液晶表示装置を有する遊技機において、前記可動液晶表示装置は、液晶表示領域を前面に有する液晶表示手段と、前記液晶表示手段の後側に位置する板金部材とを含み、前記液晶表示手段を、前記板金部材によって支持したことを特徴とする、遊技機を提供する。
【０００７】
請求項２に記載の発明は、前記可動液晶表示装置は、前記液晶表示手段の前側に位置し、前記板金部材との間で前記液晶表示手段を前後に挟む前側部材をさらに含み、前記前側部材および前記板金部材は、前記液晶表示手段を支持する液晶支持手段として機能する、請求項１に記載の遊技機である。
請求項３に記載の発明は、前記板金部材は、前記液晶表示手段の後面の周縁部に対向する周縁部対向領域を有している、請求項１に記載の遊技機である。
【０００８】
請求項４に記載の発明は、前記前側部材は、前記液晶表示手段の各端面を支持する支持部を有している、請求項１〜３のいずれか一項に記載の遊技機である。
請求項５に記載の発明は、前記可動液晶表示装置は、前記前側部材の前記支持部と前記板金部材の前記周縁部の少なくとも一部と、を固定する固定手段をさらに含む、請求項１〜４のいずれか一項に記載の遊技機である。
【０００９】
請求項６に記載の発明は、前記板金部材には、軽量化用の穴部、放熱用の穴部および配線引き回し用の穴部のうち少なくとも一種が少なくとも設けられている、請求項１〜５のいずれか一項に記載の遊技機である。
【発明の効果】
【００１０】
この発明によれば、可動液晶表示装置において、液晶表示手段を良好に支持できる。
【図面の簡単な説明】
【００１１】
【図１】本発明の一実施形態に係る遊技機の斜視図である。
【図２】前記遊技機に含まれる遊技盤の正面図である。
【図３】前記遊技盤に含まれるセンターユニットに含まれる枠部材の正面図である。
【図４】前記枠部材の、前面側からの斜視図である。
【図５】前記枠部材の要部の、前面側からの拡大斜視図である。
【図６】前記枠部材の要部の、背面側からの拡大斜視図である。
【図７】右流下通路を、遊技球の流下方向に沿って切断した断面図である。
【図８】外周壁の右流下通路壁および前面壁のそれぞれの断面図である。
【図９】遊技盤の右部分の拡大正面図である。
【図１０】前記遊技盤の演出領域に配置される液晶表示機構の斜視図である。
【図１１】前記液晶表示機構の斜視図である。
【図１２】前記液晶表示機構の斜視図である。
【図１３Ａ】前記液晶表示機構に含まれる昇降装置の斜視図である。
【図１３Ｂ】前記液晶表示機構に含まれる昇降装置の斜視図である。
【図１４】前記液晶表示機構に含まれる第１の液晶表示装置の分解斜視図である。
【図１５】前記第１の液晶表示装置の分解斜視図である。
【図１６Ａ】前記第１の液晶表示装置の背面図である。
【図１６Ｂ】前記第１の液晶表示装置の周縁部の要部の断面図である。
【図１７】前記液晶表示機構に含まれる第２の液晶表示装置の分解斜視図である。
【図１８】前記第２の液晶表示装置の分解斜視図である。
【図１９Ａ】前記第２の液晶表示装置の背面図である。
【図１９Ｂ】前記第２の液晶表示装置の周縁部の要部の断面図である。
【図２０】前記遊技盤の演出領域に配置される第２の可動役物装置の斜視図である。
【図２１】前記第２の可動役物装置の斜視図である。
【図２２】前記第２の可動役物装置の斜視図である。
【図２３】前記第２の可動役物装置に含まれる左部ユニットの分解斜視図である。
【図２４】前記左ユニットの分解斜視図である。
【図２５】前記第２の可動役物装置に含まれる右部ユニットの分解斜視図である。
【図２６】前記右部ユニットの分解斜視図である。
【図２７】前記第２の可動役物装置に含まれる、上部ユニットおよび下部ユニットの斜視図である。
【図２８】前記上部ユニットおよび前記下部ユニットの斜視図である。
【図２９】閉下状態における、前記第２の可動役物装置の要部を示す斜視図である。
【図３０Ａ】閉上状態における、前記第２の可動役物装置の要部を示す斜視図である。
【図３０Ｂ】前記遊技機の電気的構成を示すブロック図である。
【図３１】前記演出領域の要部を示す正面図である。
【図３２】前記演出領域の要部を示す正面図である。
【図３３】前記演出領域の要部を示す正面図である。
【図３４】前記演出領域の要部を示す正面図である。
【図３５】前記演出領域の要部を示す正面図である。
【図３６】前記演出領域の要部を示す正面図である。
【図３７】前記演出領域の要部を示す正面図である。
【図３８】前記演出領域の要部を示す正面図である。
【図３９】前記演出領域の要部を示す正面図である。
【図４０】前記演出領域の要部を示す正面図である。
【図４１】前記演出領域の要部を示す正面図である。
【図４２】変形例に係る遊技盤の右部分の拡大正面図である。
【発明を実施するための形態】
【００１２】
以下では、この発明の実施の形態を、添付図面を参照して詳細に説明する。
図１は、本発明の一実施形態に係る遊技機１の斜視図である。以下、遊技機１として、弾球遊技機（パチンコ機）を例に挙げて説明するが、この発明は弾球遊技機に限られず、パチスロ機に代表される回胴式遊技機などの他の遊技機にも適用できる。
遊技機１は、遊技店内に配列された遊技島への取付け（設置）のための略四角枠状の外枠２と、外枠２に対し片開き可能に取り付けられた内枠３とを備えている。外枠２の左右一方、たとえば左側部にヒンジ４が取り付けられており、内枠３はヒンジ４の回動軸まわりに回動可能に保持されている。
【００１３】
内枠３の上部分には、遊技盤５（図２参照）が収容保持されている。内枠３の下部分には、発射装置（図示しない）が収容保持されている。内枠３における遊技盤５の下方には、セーフ球回収部（図示しない）が配置されている。内枠３の手前側には、前扉６が開閉可能に設けられている。また、内枠３の手前側には、前扉６の下方に、下部開閉板７が開閉可能に設けられている。前扉６には、遊技盤５に対向する位置に略円形の開口８が形成されている。開口８には、ガラス板などの透明板９が嵌められていて、前扉６を閉じた状態で、その透明板９を介して透明板９の奥側の遊技盤５を視認可能になっている。前扉６の上部には、左右一対のスピーカ１２が配置されている。また、前扉６の下部には、左右一対の遊技ランプ１３が配置されている。
【００１４】
下部開閉板７には、遊技に使用する遊技球を貯留しておくための上皿１０と、上皿１０からオーバーフロー路（図示しない）を通して溢れた遊技球を受け止める下皿１１とが上下に並んで設けられている。上皿１０の上面には、遊技者が押操作（操作）可能な演出ボタン１０ａが配設されている。下皿１１の右側には、遊技球を遊技盤５に打ち出す際に操作されるハンドル１４が配置されている。遊技者が、ハンドル１４を把持して回転操作することにより、発射装置から遊技盤５の盤面５ａ（図２参照）に向けて遊技球を発射することができ、また、ハンドル１４の回動角度を調整することにより、遊技盤５の盤面５ａに向けて発射される遊技球の勢いを調節できる。なお、遊技球として、所定の直径（たとえば１１．０ｍｍ）を有する鋼球が用いられる。
【００１５】
図２は、遊技盤５の正面図である。図２には、遊技機１が第１種タイプである場合の遊技盤５を例に挙げているが、本発明は、このタイプ以外の遊技機にも適用できる。前記の第１種の遊技性は、始動口に遊技球が入賞したことを契機として特別図柄の変動表示を開始し、所定の大当たり図柄で特別図柄が停止表示すると大当たり遊技を開始する遊技性である。
【００１６】
遊技盤５の盤面５ａには、中央部に略円形の円形領域Ｒが設定されている。円形領域Ｒの周縁には、発射装置から発射された遊技球を、円形領域Ｒの上部（左側上部）に導くための略円弧状のガイドレール１５と、略円弧状の内周壁１６を有し、ガイドレール１５に周方向に連なる外周飾り部材１７と、ガイドレール１５に対向して、円形領域Ｒの左上部まで延びる内レール１８とが設けられている。ガイドレール１５の先端は、円形領域Ｒの上部の左右中央よりも右側まで延びている。また、ガイドレール１５と外周飾り部材１７との接続部分には、ガイドレール１５に沿って遊技領域Ｓの上部に打ち込まれた遊技球が衝突する球止め部１９が設けられている。球止め部１９は、外周飾り部材１７の左壁によって構成されていてもよいし、外周飾り部材１７と別の部材によって設けられていてもよい。
【００１７】
発射装置により発射された遊技球は、ガイドレール１５と内レール１８との間を通って円形領域Ｒ（遊技領域Ｓ）の上部へと導かれる。遊技領域Ｓには、多数本の障害釘２０が植設されている。
遊技盤５の盤面５ａには、円形領域Ｒの中央部に区画された、遊技球が流通可能な遊技領域Ｓと、遊技の演出のための演出領域Ｐとが設定されている。演出領域Ｐとは、遊技盤５の中央部に形成された開口２１内に設けられ、遊技領域Ｓから独立した領域である。開口２１内には、すなわち演出領域Ｐには、液晶表示機構２２が配置されている。液晶表示機構２２は、メイン表示装置としての第１の液晶表示装置（可動液晶表示装置）２２Ａと、サブ表示装置としての第２の液晶表示装置（可動液晶表示装置）２２Ｂを含む。第１および第２の液晶表示装置２２Ａ，２２Ｂは、それぞれ上下に可動する可動式の液晶表示装置によって構成されている。第１の液晶表示装置２２Ａは、前後方向に関し、第２の液晶表示装置２２Ｂよりも前寄りに配置されている。第１の液晶表示装置２２Ａは、その前面に、第１の液晶表示領域２３Ａを前面に備えている。第２の液晶表示装置２２Ｂは、その前面に、第２の液晶表示領域２３Ｂを前面に備えている。液晶表示装置２２Ａ，２２Ｂの略全域が開口２１から前方に臨んでいる。遊技領域Ｓと演出領域Ｐとは、遊技領域Ｓの中央部に配置されるセンター役物２４によって、前後に仕切られる。液晶表示装置２２Ａ，２２Ｂには、遊技機１での遊技中に、停止された演出図柄、変動中の演出図柄または所定のメッセージ等が表示される。
【００１８】
円形領域Ｒにおいて、センター役物２４の下方（円形領域Ｒの下部）には、第１特別図柄始動口２５および第２特別図柄始動口２６が上下に並配されている。第１および第２特別図柄始動口２５，２６は、それぞれ、遊技盤５の盤面５ａに沿って流通する遊技球が入球可能に設けられている。遊技盤５には、第２特別図柄始動口２６に関連して、一対の可動羽根を含む電動チューリップ役物２７が配設されている。第２特別図柄始動口２６に開閉式の電動チューリップ役物２７が配設されているのに対し、第１特別図柄始動口２５は、開閉手段等を有しない非作動式の入賞口（いわゆるヘソ入賞口）である。第１特別図柄始動口２５、第２特別図柄始動口２６および電動チューリップ役物２７はユニット化されて、始動入賞口ユニットを構成している。
【００１９】
第１または第２特別図柄始動口２５，２６に遊技球が入ると、予め定める個数（第１特別図柄始動口２５への遊技球入球に対してはたとえば５球、または第２特別図柄始動口２６への遊技球入球に対してはたとえば３球）の賞球が、賞球払出装置（図示しない）から払い出される。また、第１または第２特別図柄始動口２５，２６への遊技球の入賞に伴って、特別利益状態を実行する大当たりであるか否かを決定するための特別図柄抽選が実行される。
【００２０】
遊技領域Ｓは、センター役物２４の左側に形成された左領域Ｓａと、左領域Ｓａと、センター役物２４の右側に形成された右領域Ｓｂとを含む。左領域Ｓａにおける、上下方向の中央よりやや下方の領域には、前後方向に延びる回転軸まわりに回転自在に設けられた風車役物２８が配設されている。また、センター役物２４の左下方（円形領域Ｒの左下部）には、第１普通入賞口２９、第２普通入賞口３０および第３普通入賞口３１が配置されている。第１〜第３普通入賞口２９〜３１への遊技球の１球の入賞に伴い、予め定める個数（たとえば３球）の賞球が、賞球払出装置（図示しない）から払い出される。
【００２１】
また、右領域Ｓｂには、普通図柄ゲート３２と、特別入賞口３３とが上方からこの順で配置されている。普通図柄ゲート３２を遊技球が通過すると、第２特別図柄始動口２６を開放するか否か（電動チューリップ役物２７を開動作させるか否か）を決定するための普通図柄抽選が実行される。
特別入賞口３３は、左右方向に関して、複数個（たとえば３〜４球）の遊技球が同時に入球可能なサイズに形成されている。特別入賞口３３への１球の遊技球の入賞に伴い、予め定める個数（たとえば１０球）の賞球が、賞球払出装置（図示しない）から払い出される。
【００２２】
また、円形領域Ｒには、センター役物２４の上方および右側に、円形領域Ｒの上縁部および円形領域Ｒの右縁部に跨って延びる、略円弧状の右打ち通路３４が設けられている。右打ち通路３４は、ガイドレール１５に沿って略円弧状に形成された上部通路３５と、外周飾り部材１７の内周壁１６に沿って略円弧状に形成された右流下通路（流通路）３６と、球止め部１９の近傍において上部通路３５と右流下通路３６とを段違い状に接続する屈曲通路３７とを含む。
【００２３】
遊技領域Ｓにおける左上部分を狙って適度な速度で遊技球が発射されると（以下、このような遊技を、「左打ち遊技」という。）、遊技領域Ｓの左上部分へと達した遊技球は、遊技領域Ｓの左領域Ｓａに植設された障害釘２０によって、第１および第２特別図柄始動口２５，２６付近に導かれる。つまり、発射位置を遊技領域Ｓの左側上部とすることにより、第１および第２特別図柄始動口２５，２６に遊技球を入賞させることができる。
【００２４】
遊技領域Ｓの右領域Ｓｂを流通する遊技球のうち、第１および第２特別図柄始動口２５，２６ならびに第１〜第３普通入賞口２９〜３１のいずれにも入賞しなかった遊技球（アウト球）は、遊技盤５の盤面５ａの下部に配置されたアウト口３８から機内に入り、球回収部（図示しない）に回収される。
遊技機１は、また、右打ち遊技（遊技領域Ｓの右領域Ｓｂに向けて遊技球を発射させる遊技）を実行できるように構成されている。特別利益状態中等において、遊技者は右打ち遊技を行う。このとき、発射装置から勢い良く放たれた遊技球は、センター役物２４の上方および右側に設けられた右打ち通路３４を通って、遊技領域Ｓの右領域Ｓｂへと達し、遊技領域Ｓの右領域Ｓｂに設けられた放出口３９から下方に向けて放出される。
【００２５】
遊技領域Ｓの右領域Ｓｂの上端部から放出された遊技球は、普通図柄ゲート３２の周囲に導かれる。また、普通図柄ゲート３２の周囲を流通する遊技球は、遊技領域Ｓに植設された障害釘２０によって特別入賞口３３の周囲に導かれる。このように、特別利益状態中には特別入賞口３３が開放する。したがって、遊技者が右打ち遊技を行うことにより、特別入賞口３３に遊技球を入賞させることができる。
【００２６】
遊技領域Ｓの右領域Ｓｂを流通する遊技球のうち、特別入賞口３３に入賞しなかった遊技球（アウト球）はアウト口３８から機内に入り、球回収部に回収される。
たとえば、遊技盤５の盤面５ａにおけるガイドレール１５の外側領域の右上部には、第１特別図柄表示手段４０、第２特別図柄表示手段４１および普通図柄表示手段４２が配置されている。
【００２７】
第１特別図柄表示手段４０は、第１特別図柄始動口２５に遊技球が入球することを条件に、第１特別図柄を所定時間変動表示して、第１特別図柄始動口２５への入球時に取得された大当たり判定乱数値が予め定められた大当たり判定値と一致する場合には所定の大当たり態様で、それ以外の場合にははずれ態様で停止する。
第２特別図柄表示手段４１は、第２特別図柄始動口２６に遊技球が入球することを条件に、第２特別図柄を所定時間変動表示して、第２特別図柄始動口２６への入球時に取得された大当たり判定乱数値が予め定められた大当たり判定値と一致する場合には所定の大当たり態様で、それ以外の場合にははずれ態様で停止する。
【００２８】
普通図柄表示手段４２は、普通図柄ゲート３２に遊技球が通過することを条件に普通図柄を所定時間変動表示して、普通図柄ゲート３２に対する遊技球の通過時に取得された当たり判定乱数値が予め定められた当たり判定値と一致する場合には所定の当たり態様で、一致しない場合には所定のはずれ態様で停止させるようになっている。
大当たり判定の結果（第１または第２特別図柄始動口２５，２６への入球時に取得された大当たり判定乱数値が、予め定められた大当たり判定値と一致するか否か）は、第１または第２特別図柄表示手段４０，４１だけでなく、液晶表示装置２２Ａ，２２Ｂの液晶表示領域２３Ａ，２３Ｂにも表示される。すなわち、第１または第２特別図柄表示手段４０，４１における特別図柄の図柄変動動作中は、液晶表示領域２３Ａ，２３Ｂにおいて演出図柄（図示しない。たとえば「０」〜「９」の数字）の図柄変動動作が実行される。
【００２９】
大当たり判定の結果が大当たりであるときは、演出図柄の図柄変動動作の終了後、大当たり用の演出図柄の組合せが液晶表示領域２３Ａ，２３Ｂに表示される。一方、大当たり判定の結果がはずれであるときは、演出図柄の図柄変動動作の終了後、はずれ用の演出図柄の組合せが液晶表示領域２３Ａ，２３Ｂに停止表示される。
センター役物２４は、開口２１の縁部に沿って配置された略円形の枠部材４３と、枠部材４３の左辺部の前面に配置されたワープ通路役物４４と、枠部材４３の下辺部の前面に配置されたステージ４５と、ステージ４５の後方に配置され、演出領域Ｐへの遊技球の進入を規制するための進入規制部材４６と、枠部材４３の前面を覆う装飾部材４７とを含む。
【００３０】
図３は、枠部材４３の正面図である。図４は、枠部材４３の、前面側からの斜視図である。図５は、枠部材４３の要部の、前面側からの拡大斜視図である。図６は、枠部材４３の要部の、背面側からの拡大斜視図である。図７は、右流下通路３６を、遊技球Ｂの流下方向Ｄ１に沿って切断した断面図である。図８は、外周壁４５２の右流下通路壁４５５および前面壁４６４のそれぞれの断面図である。図２〜図５を参照しながら、枠部材４３について説明する。
【００３１】
センター役物２４の枠部材４３は、遊技盤５の盤面５ａに当接するように固定されたベース板４５１と、ベース板４５１から略直角に前方に突出する外周壁４５２と、ベース板４５１から後方に遊技盤５の装着穴（図示しない）に内嵌する周状の嵌合壁４５３とを含む。
外周壁４５２は、前下側部分の所要範囲（ステージ４５が取り付けられる領域）を除く略全周に設けられている。外周壁４５２は、センター役物２４の上側の略全域においてガイドレール１５との間で上部通路３５を区画する円弧状の上部通路壁４５４と、センター役物２４の右側において、右側の外周飾り部材１７との間で右流下通路３６を区画する円弧状の右流下通路壁（左右方向一側面。たとえば内側の周面）４５５と、上部通路壁４５４と右流下通路壁４５５とを段違い状に接続し、球止め部１９との間で屈曲通路３７を区画する屈曲通路壁４５６とを有する。右打ち通路３４の右流下通路３６の前面は、前扉６（図１参照）を閉じた状態で透明板９（図１参照）によって閉塞される。
【００３２】
右流下通路３６の後面に、右流下通路３６を流下する遊技球Ｂ（図７に破線にて図示）に当たって当該遊技球Ｂの速度を低下させる後側規制突起群４６１が設けられている。右流下通路３６の前面には、右流下通路３６を流下する遊技球Ｂに当たって当該遊技球Ｂの速度を低下させる前側規制突起群４６２が設けられている。これらの点が、弾球遊技機１の特徴である。
【００３３】
具体的には、センター役物２４の枠部材４３は、右流下通路３６の後面をなす後面壁４６３と、右流下通路３６の前面をなす前面壁４６４とをさらに含む。この実施形態では、ベース板４５１と、外周壁４５２と、嵌合壁４５３と、後面壁４６３と、前面壁４６４とは、透明樹脂材料（たとえばポリ塩化ビニル）を用いて一体に形成されている。すなわち、後面壁４６３および前面壁４６４は透明である。
【００３４】
後面壁４６３は、この実施形態では、遊技球Ｂの流下方向（流通方向）Ｄ１に所定間隔を隔てて配置された複数（この実施形態では３つ）の後面壁片４６５を含む。複数の後面壁片４６５は、同一平面に含まれ、ベース板４５１の一部を構成している。
最上位の後面壁片４６５Ａは、前面視で円弧状をなす板状の部材である。後面壁片４６５Ａは、ベース板４５１のうち上部通路３５（図２参照）に対応する部分の下流側に、当該部分に連続して設けられている。後面壁片４６５Ａは、鉛直方向に沿う平坦な鉛直面４６５Ａａと、鉛直面４６５Ａａにおける流下方向Ｄ１の上流端側の傾斜面４６５Ａｂと、鉛直面４６５Ａａにおける流下方向Ｄ１の下流端側に設けられ、一段奥側に下がる段部４６５Ａｃとを含む。
【００３５】
真ん中の後面壁片４６５Ｂは、板状の舌片である。後面壁片４６５Ｂは、鉛直方向に沿う平坦な鉛直面４６５Ｂａと、鉛直面４６５Ｂａにおける流下方向Ｄ１の上流端側の傾斜面４６５Ｂｂと、鉛直面４６５Ｂａにおける流下方向Ｄ１の下流端側に設けられ、一段奥側に下がる段部４６５Ｂｃとを含む。真ん中の後面壁片４６５Ｂの上端縁は、次に述べる上側の前面壁片４６７Ａの下端縁と、前後方向に略揃っている（僅かに下方に位置している）。
【００３６】
最下位の後面壁片４６５Ｃは、前面視で円弧状をなす板状の部材である。後面壁片４６５Ｃは、鉛直方向に沿う平坦な鉛直面４６５Ｃａと、鉛直面４６５Ｃａにおける流下方向Ｄ１の上流端側の傾斜面４６５Ｃｂとを含む。最下位の後面壁片４６５Ｃの上端縁は、次に述べる下側の前面壁片４６７Ｂの下端縁と、前後方向に略揃っている（僅かに下方に位置している）。
【００３７】
各後面壁片４６５の前面には、右流下通路３６の円弧中心に対し略放射状に設けられた複数のリブ状の後側規制突起４６６が、流下方向Ｄ１に等間隔を空けて配置されている。複数の後側規制突起４６６の配置間隔は、図７に示すように第１の間隔Ｗ１である。第１の間隔Ｗ１は、遊技球Ｂの直径よりも小さくかつ遊技球Ｂの半径よりも大きく、たとえば約８ｍｍである。各後側規制突起４６６は、右流下通路３６を流下する遊技球Ｂに当たって当該遊技球Ｂの速度を低下させる。共通の後面壁片４６５に形成された複数の後側規制突起４６６によって、１つの後側規制突起群４６１が構成されている。この実施形態では、後側規制突起群４６１が、各後面壁片４６５の前面の略全域に亘って配置（すなわち分散配置）されている。換言すると、後面壁片４６５が、後側規制突起群４６１が形成される後側規制突起群形成領域の全域を構成している。
【００３８】
後側規制突起４６６は、断面半円状を有している。複数の後側規制突起４６６の高さ（突出量）は互いに共通である。各後側規制突起４６６は、図８（ａ）に示すように、第１の高さＨ１を有している。図８（ａ）には、最上位の後面壁片４６５Ａのみを例に挙げるが、他の後面壁片４６５についても、各後側規制突起４６６は、第１の高さＨ１を有している。
【００３９】
最上位の後面壁片４６５Ａには、球詰まり解除用の細長状の治具（図示しない）を差し込むための解除用凹所４７２が形成されている。この実施形態では、解除用凹所４７２は、後面壁片４６５の前後面を貫通する貫通穴である。右流下通路３６において球詰まりが発生している場合には、係員は、細長状の治具（図示しない）を、遊技盤５の後側から解除用凹所４７２に差し込むことにより、球詰まりを容易に解除（解消）させることができる。
【００４０】
前面壁４６４は、この実施形態では、遊技球Ｂの流下方向（流通方向）Ｄ１に所定間隔を隔てて配置された複数（この実施形態では２つ）の前面壁片４６７を含む。複数の前面壁片４６７は、外周壁４５２の前端縁から鉛直上方に立ち上がっており、同一平面に含まれる。複数の前面壁片４６７は、複数の後面壁４６３と互いに前後に重複せずに設けられている。すなわち、複数の前面壁片４６７と複数の後面壁片４６５とは、流下方向Ｄ１に関し交互に設けられている。２つの前面壁４６４のうち上側の前面壁片４６７Ａの上端縁は、最上位の後面壁片４６５の下端縁と、前後方向に略揃っている（僅かに下方に位置している）。最下位の後面壁片４６５Ｃの上端縁は、真ん中の後面壁片４６５の下端縁と、前後方向に略揃っている（僅かに下方に位置している）。
【００４１】
各前面壁片４６７は、板状の舌片である。各前面壁片４６７の後面は、鉛直方向に沿う平坦な鉛直面４６７ａと、鉛直面４６７ａにおける流下方向Ｄ１の上流端側の傾斜面４６７ｂと、鉛直面４６７ａにおける流下方向Ｄ１の下流端側の傾斜面４６７ｃとを含む。各前面壁片４６７の前面は、閉じ状態における透明板９の後面に微小間隔を隔てて配置されている。そして、鉛直面４６７ａ（すなわち、各前面壁片４６７の後面）は、前面壁片４６７の前面よりもさらに一段後方に配置されている。
【００４２】
各前面壁片４６７の後面には、右流下通路３６の円弧中心に対し略放射状に設けられた複数のリブ状の前側規制突起４６８が、流下方向Ｄ１に等間隔を空けて配置されている。複数の前側規制突起４６８の配置間隔は、図７に示すように第２の間隔Ｗ２である。第２の間隔Ｗ２（Ｗ２＞Ｗ１）は、遊技球Ｂの直径よりも大きく、たとえば約１２ｍｍである。すなわち、複数の前側規制突起４６８の配置間隔（第２の間隔Ｗ２）が、複数の後側規制突起４６６の配置間隔（第１の間隔Ｗ１）よりも幅広に設定されている。各前側規制突起４６８は、右流下通路３６を流下する遊技球Ｂに当たって当該遊技球Ｂの速度を低下させる。共通の前面壁片４６７に形成された複数の前側規制突起４６８によって、１つの前側規制突起群４６２が構成されている。この実施形態では、前側規制突起群４６２が、各前面壁片４６７の後面の略全域に亘って配置（すなわち分散配置）されている。換言すると、前面壁片４６７が、前側規制突起群４６２が形成される前側規制突起群形成領域の全域を構成している。
【００４３】
センター役物２４の枠部材４３が透明樹脂材料を用いて形成されているので、前面壁片４６７および前側規制突起群４６２は透明である。前面壁４６４および後面壁４６３が一体に形成されているので、後側規制突起４６６および前側規制突起４６８が一体に形成されている。
複数の前側規制突起４６８の高さ（突出量）は互いに共通である。各前側規制突起４６８は、図８（ｂ）に示すように、第２の高さＨ２を有している。図８（ｂ）には、上側の前面壁片４６７Ａのみを例に挙げるが、他の前面壁片４６７についても、各前側規制突起４６８は、第２の高さＨ２を有している。第２の高さＨ２は、たとえば約１．５ｍｍである。
【００４４】
外周壁４５２の右流下通路壁４５５（左右方向一側面）には、前後方向に延びる複数のリブ状の側方規制突起４６９が配置されている。複数の側方規制突起４６９は、複数の後側規制突起４６６に１対１対応に設けられている。各側方規制突起４６９は、対応する後側規制突起４６６に隣接して設けられている。より具体的には、各側方規制突起４６９の後端と、対応する後側規制突起４６６の内周端とがつながっている。すなわち、複数の側方規制突起４６９は、流下方向Ｄ１に第２の間隔Ｗ１を空けて配置されている。共通の後面壁片４６５に対応して設けられた複数の側方規制突起４６９によって、１つの側方規制突起群４７０が構成されている。すなわち、右流下通路壁４５５のうち側方規制突起群４７０が形成される側方規制突起群形成領域は、後面壁片４６５に隣り合いかつ前面壁片４６７に隣り合わないように設けられている。
【００４５】
さらに換言すると、右流下通路３６は、前記の側方規制突起群形成領域と、前記の後側規制突起群形成領域とで形成される第１流下部と、前側の規制突起群形成領域で形成される第２流下部とを含む。
複数の側方規制突起４６９の高さは互いに共通である。すなわち、各側方規制突起４６９は、図８（ｃ）に示すように、第３の高さＨ３を有している。第３の高さＨ３（Ｈ３＜Ｈ１、Ｈ３＜Ｈ２）は、たとえば約１．０ｍｍである。すなわち、側方規制突起４６９の高さ（第３の高さＨ３）は、後側規制突起４６６の高さ（第１の高さＨ１）や前側規制突起４６８の高さ（第２の高さＨ２）よりも低く設定されている（側方規制突起４６９の高さの突出量が、後側規制突起４６６や前側規制突起４６８の突出量よりも小さく設定されている）。そのため、右流下通路３６を流下する遊技球Ｂが右流下通路３６の径方向外方に強く弾かれることを抑制できる。
【００４６】
右打ち通路３４の放出口３９は、右流下通路３６の下端に設けられている。右流下通路３６の下端は、図２に示すように、遊技領域Ｓの上下方向の略中央よりも若干下に位置している。放出口３９は横向き（内向き）の開口である。放出口３９は、右流下通路３６を流通してきた遊技球Ｂを、枠部材４３の径方向の内側に向けて放出する。
後面壁４６３は、外周壁４５２の右流下通路壁４５５の下端縁との間で放出口３９を区画する掬い部７３をさらに含む。掬い部７３は、最下位の後面壁片４６５Ｃの下流側に、当該最下位の後面壁片４６５Ｃに一体かつ連続して設けられており、下方に向かうに従って径方向の内側へと湾曲する湾曲面４７４を有している。掬い部７３は、右流下通路３６を流通してきた遊技球Ｂを遊技領域Ｓの内側へと掬いながら案内する。
【００４７】
右打ち通路３４に進入した遊技球Ｂは、上部通路３５および屈曲通路３７を通って、右流下通路３６に進入し、右流下通路３６を流下する。複数の前面壁片４６７と複数の後面壁片４６５とが流下方向Ｄ１に関し交互に設けられているため、右流下通路３６は、図７に示すように前後方向に関し蛇行している。遊技球Ｂは、右流下通路３６における後面壁片４６５に対応する領域において後側規制突起群４６１および側方規制突起群４７０に当たりながら、右打ち通路３４における前面壁片４６７に対応する領域において前側規制突起群４６２に当たりながら、右流下通路３６を前後に蛇行しながら流下する。
【００４８】
図９は、遊技盤５の右部分の拡大正面図である。
右流下通路３６の後方には、１または複数（この実施形態では複数。たとえば６個の構成によれば、）の光源４７５が配置されている。光源４７５としてたとえばＬＥＤを例示できる。この実施形態では、上側の前面壁片４６７Ａの後方、真ん中の後面壁片４６５Ｂの後方および下側の前面壁片４６７Ｂの後方に、光源４７５がたとえば２つずつ配置されている。この実施形態では、後面壁片４６５および前面壁片４６７は透明である。そのため、光源４７５から発せられた光は右流下通路３６に入り、右流下通路３６から前方に向けて出ていく。したがって、弾球遊技機１の前側から、遊技者が光源４７５からの光を視認可能である。換言すると、後側規制突起群４６１および／または前側規制突起群４６２によって光源４７５からの光を導光することが可能である。これにより、右流下通路３６を表示ランプユニットとして用いることができる。
【００４９】
図１０〜図１２は、液晶表示機構２２の斜視図である。液晶表示機構２２は、上下方向に移動可能な可動式の第１の液晶表示装置２２Ａと、上下方向に移動可能な可動式の第２の液晶表示装置２２Ｂと、第１の液晶表示装置２２Ａおよび第２の液晶表示装置２２Ｂを昇降可能に支持する昇降装置５１とを含む。第１および第２の液晶表示装置２２Ａ，２２Ｂは、鉛直姿勢をなしている。第１の液晶表示装置２２Ａは、前後方向に関し、第２の液晶表示装置２２Ｂよりも前寄りに配置されている。
【００５０】
昇降装置５１は、第１の液晶表示装置２２Ａを、上位置（図１０に示す位置）と下位置（図１１に示す位置）との間で昇降させることができ、かつ上位置と下位置との間の任意の位置において第１の液晶表示装置２２Ａを支持できる。また、昇降装置５１は、第２の液晶表示装置２２Ｂを、上位置（図１１に示す位置）と下位置（図１０に示す位置）との間で昇降させることができ、かつ上位置と下位置との間の任意の位置において第２の液晶表示装置２２Ｂを支持できる。
【００５１】
この実施形態では、昇降装置５１は、第１の液晶表示装置２２Ａと第２の液晶表示装置２２Ｂと互いに連動させる。第１の液晶表示装置２２Ａが上位置（図１０に示す位置）に位置するときには、第２の液晶表示装置２２Ｂが下位置（図１０に示す位置）に位置し、第１の液晶表示装置２２Ａが下位置（図１１に示す位置）に位置するときには、第２の液晶表示装置２２Ｂが上位置（図１１に示す位置）に位置する。また、第１の液晶表示装置２２Ａが、上位置と下位置との間の中間位置（図１２に示す位置）に位置するときには、第２の液晶表示装置２２Ｂが、上位置と下位置との間の中間位置（図１２に示す位置）に位置する。
【００５２】
以下、第１の液晶表示装置２２Ａが上位置に位置し、かつ第２の液晶表示装置２２Ｂが下位置に位置する状態（図１０に示す状態）を「第１の液晶昇降状態」と呼ぶ。また、第１の液晶表示装置２２Ａが下位置に位置し、かつ第２の液晶表示装置２２Ｂが上位置に位置する状態（図１１に示す状態）を「第２の液晶昇降状態」と呼ぶ。また、第１の液晶表示装置２２Ａおよび第２の液晶表示装置２２Ｂの双方が中間位置に位置する状態（図１２に示す状態）を「第３の液晶昇降状態」と呼ぶ。
【００５３】
また、この実施形態では、上位置にあるときの第１の液晶表示装置２２Ａの第１の液晶表示領域２３Ａの位置と、上位置にあるときの第２の液晶表示装置２２Ｂの第２の液晶表示領域２３Ｂの位置とが、正面視で一致する。さらに、下位置にあるときの第２の液晶表示装置２２Ｂの第２の液晶表示領域２３Ｂの位置と、下位置にあるときの第１の液晶表示装置２２Ａの第１の液晶表示領域２３Ａの位置とが、正面視で一致する。すなわち、第１の液晶昇降状態と第２の液晶昇降状態とでは、正面視において液晶表示領域２３Ａ，２３Ｂの位置が互いに入れ替わる、と言うことができる。
【００５４】
図１３Ａおよび１３Ｂは、昇降装置５１の斜視図である。図１３Ａおよび１３Ｂでは、第１の液晶表示装置２２Ａ（図１０等参照）に含まれる後述する第１のスライドガイド７７，７８、および第２の液晶表示装置２２Ｂ（図１０等参照）に含まれる後述する第２のスライドガイド１２７，１２８を併せて示す。図１３Ａは、第１および第２の液晶表示装置２２Ａ，２２Ｂの第１の液晶昇降状態（図１０に示す状態）を示し、図１３Ｂは、第１および第２の液晶表示装置２２Ａ，２２Ｂの第２の液晶昇降状態（図１１に示す状態）を示す。
【００５５】
昇降装置５１は、第１および第２の液晶表示装置２２Ａ，２２Ｂの各々を左側から支持する左側昇降ユニット５２と、第１および第２の液晶表示装置２２Ａ，２２Ｂの各々を右側から支持する右側昇降ユニット５３とを含む。左側昇降ユニット５２と右側昇降ユニット５３とは、互いに左右に対をなす昇降ユニットである。
左側昇降ユニット５２は、上下方向に長手を有する長尺部材からなる左側機構ベース６１と、無端状の左側ベルト（図示しない）と、左側ベルトの上端を支持する左側上プーリ（図示しない）と、左側ベルトの下端を支持する左側下プーリ６３と、左側ベルトを駆動するための左側モータ６４とを含む。後述するように、左側機構ベース６１には、第１の左側スライドガイド７７の第１の左側膨出部１１２、および第２の左側スライドガイド１２７の第２の左側膨出部１６２が上下動自在に取り付けられている。左側上プーリ６２および左側下プーリ６３は、左側機構ベース６１に回転可能に取り付けられている。左側ベルトには、第１の左側スライドガイド７７および第２の左側スライドガイド１２７がそれぞれ同伴移動可能に結合されている。左側機構ベース６１への取付け状態では、正面視において第２の左側スライドガイド１２７が第１の左側スライドガイド７７よりも右寄り（内寄り）に位置している。より具体的には、第２の左側スライドガイド１２７の第２の左側ガイド本体部１６１は、正面視において第１の左側スライドガイド７７の第１の左側ガイド本体部１１１よりも右側に位置し、かつ第１の左側ガイド本体部１１１に重複していない。
【００５６】
右側昇降ユニット５３は、上下方向に長手を有する長尺部材からなる右側機構ベース６６と、無端状の右側ベルト（図示しない）と、右側ベルトの上端を支持する右側上プーリ（図示しない）と、右側ベルトの下端を支持する右側下プーリ６８と、右側ベルトを駆動するための右側モータ６９とを含む。後述するように、右側機構ベース６６には、第１の右側スライドガイド７８の第１の右側膨出部１１４、および第２の右側スライドガイド１２８の第２の右側膨出部１６４が上下動自在に取り付けられている。右側上プーリ６７および右側下プーリ６８は、右側機構ベース６６に取り付けられている。右側ベルトには、第１の右側スライドガイド７８および第２の右側スライドガイド１２８がそれぞれ同伴移動可能に結合されている。右側機構ベース６６への取付け状態では、正面視において第２の右側スライドガイド１２８が第１の右側スライドガイド７８よりも左寄り（内寄り）に位置している。より具体的には、第２の右側スライドガイド１２８の第２の右側ガイド本体部１６３は、正面視において第１の左側スライドガイド７８の第１の右側ガイド本体部１１３よりも右側に位置し、かつ第１の右側ガイド本体部１１３に重複していない。
【００５７】
第１および第２の液晶表示装置２２Ａ，２２Ｂを第１の液晶昇降状態（図１０に示す状態）に配置させる場合には、左側モータ６４および右側モータ６９は、第１の左側スライドガイド７７および第１の右側スライドガイド７８が上位置（図１３Ａに示す位置）に位置するように、かつ第２の左側スライドガイド１２７および第２の右側スライドガイド１２８が下位置（図１３Ａに示す位置）に位置するように、左側ベルトおよび右側ベルトを駆動する。
【００５８】
また、第１および第２の液晶表示装置２２Ａ，２２Ｂを第２の液晶昇降状態（図１１に示す状態）に配置させる場合には、左側モータ６４および右側モータ６９は、第１の左側スライドガイド７７および第１の右側スライドガイド７８が下位置（図１３Ｂに示す位置）に位置するように、かつ第２の左側スライドガイド１２７および第２の右側スライドガイド１２８が下位置（図１３Ｂに示す位置）に位置するように、左側ベルトおよび右側ベルトを駆動する。
【００５９】
また、第１および第２の液晶表示装置２２Ａ，２２Ｂを第３の液晶昇降状態（図１２に示す状態）に配置させる場合には、左側モータ６４および右側モータ６９は、第１の左側スライドガイド７７および第１の右側スライドガイド７８が中間位置（上位置と下位置との間の中間位置）に位置するように、かつ第２の左側スライドガイド１２７および第２の右側スライドガイド１２８が中間位置（上位置と下位置との間の中間位置）に位置するように、左側ベルトおよび右側ベルトを駆動する。
【００６０】
図１４および図１５は、第１の液晶表示装置２２Ａの分解斜視図である。図１６Ａは、第１の液晶表示装置２２Ａの背面図である。図１６Ｂは、第１の液晶表示装置２２Ａの周縁部の要部の断面図である。
第１の液晶表示装置２２Ａは、第１の液晶パネル（液晶表示手段）７１と、第１の装飾カバー（前側部材）７２と、第１の板金部材７３と、４つの第１の隅導電部材７４と、第１の左側レンズ部材７５と、第１の右側レンズ部材７６と、第１の左側スライドガイド７７と、第１の右側スライドガイド７８と、液晶搭載中継基板７９と、第１の中継基板８１と、第１の配線ケーブル８０と、ケーブル押さえ８２とを含む。第１の装飾カバー７２は、樹脂材料（たとえば、ポリカーボネイト（ＰＣ）やＡＢＳ樹脂、アクリル樹脂）を用いて形成されている。すなわち、第１の装飾カバー７２は樹脂カバーである。
【００６１】
第１の装飾カバー７２および第１の板金部材７３は、第１の液晶パネル７１を前後から挟んだ状態で、第１の液晶パネル７１を収容支持している。すなわち、第１の装飾カバー７２および第１の板金部材７３は、液晶支持手段を構成する。第１の板金部材７３は強度および剛性が高いので、第１の装飾カバー７２および第１の板金部材７３は、高い強度および高い剛性を維持しながら第１の液晶パネル７１を支持できる。
【００６２】
第１の液晶パネル７１は、横長方形の板状のパネルである。第１の液晶パネル７１の前面に、矩形の第１の液晶表示領域２３Ａが設けられている。第１の液晶パネル７１の第１の液晶表示領域２３Ａの大きさは、たとえば１２.１インチ（２４０ｍｍ×３６０ｍｍ）である。第１の液晶パネル７１の前面のうち第１の液晶表示領域２３Ａを除く部分、第１の液晶パネル７１の上下左右の端面、および第１の液晶パネル７１の後面は、それぞれ、金属板（たとえば鉄板）によって構成されている。
【００６３】
第１の装飾カバー７２は、四角環状をなし、正面視において第１の液晶パネル７１よりも一回り大きいサイズを有している。第１の装飾カバー７２は、前後方向に直交する方向に延びる四角枠状の第１の前枠部８６と、第１の前枠部８６の外端縁から後方へと突出する四角枠状の第１の包囲枠（支持部）８７と、第１の包囲枠８７の左端部に設けられた上下一対の第１の左係合穴部８８と、第１の包囲枠８７の右端部に設けられた上下一対の第１の右係合穴部８９とを含む。第１の前枠部８６、第１の包囲枠８７、第１の左係合穴部８８および第１の右係合穴部８９は、樹脂材料（たとえば、ポリカーボネイト（ＰＣ）やＡＢＳ樹脂、アクリル樹脂）を用いて一体に設けられている。
【００６４】
第１の装飾カバー７２の第１の前枠部８６の上部分および下部分には、それぞれ装飾が施されている。第１の前枠部８６の上部分には、第１の上表示部９０が設けられている。第１の上表示部９０には、有利な遊技状態であることを示すメッセージ等（たとえば「ちゃーんす」というメッセージ。図３６等参照）などが記されている。第１の前枠部８６の下部分には、第１の下表示部９１が設けられている。第１の下表示部９１には、遊技機１の機種に関連する表示等（たとえば「大戦争」という表示。図３１等参照）などが記されている。
【００６５】
第１の装飾カバー７２は第１の液晶パネル７１を収容する。この収容状態で、第１の液晶パネル７１の前面の周縁部が第１の装飾カバー７２の第１の前枠部８６によって覆われ、かつ、第１の液晶パネル７１の上下左右の端面が第１の装飾カバー７２の第１の包囲枠８７によって覆われる（包囲される）。
第１の板金部材７３は、第１の液晶パネル７１を後方から支持する補強用部材である。また、第１の板金部材７３はアースされており、第１の板金部材７３は、第１の液晶パネル７１を接地するアース手段を兼ねている。第１の板金部材７３は、略矩形の平板状の板金からなる第１の平板状部９６と、第１の平板状部９６の４つの隅部のそれぞれに設けられた第１の導通片部９７と、第１の左側スライドガイド７７を第１の平板状部９６に装着するための第１の左側取付け部９８と、第１の右側スライドガイド７８を第１の平板状部９６に取り付けるための第１の右側取付け部９９とを含む。第１の平板状部９６、４つの第１の導通片部９７、第１の左側取付け部９８および第１の右側取付け部９９は、一体に設けられている。
【００６６】
第１の平板状部９６は、正面視において第１の液晶パネル７１よりも一回り大きいサイズを有する。第１の平板状部９６は、第１の液晶パネル７１の後面に対向している。第１の平板状部９６は、第１の液晶パネル７１の後面の周縁部に対向する第１の周縁部対向領域１００を有している。第１の板金部材７３の第１の周縁部対向領域１００が、第１の液晶パネル７１の周縁部を直接支持する。そのため、より一層高い強度および高い剛性を維持しながら第１の液晶パネル７１を支持できる。
【００６７】
第１の平板状部９６には、多数の開口や穴が形成されている。第１の平板状部９６の中央部から右部に亘って大きな矩形の第１の開口（穴部）１０１が形成されている。第１の開口１０１は、第１の板金部材７３の軽量化のための肉抜き穴である。第１の平板状部９６の左部であってかつ上下方向の中央部には、矩形の第２の開口（穴部）１０２が形成されている。第２の開口１０２は、第１の開口１０１よりも小さい。第２の開口１０２は、液晶搭載中継基板７９に一端が接続される第２の配線ケーブル８３を挿通させるための肉抜き穴である。第１の平板状部９６の左上部には、複数の矩形の第３の開口（穴部）１０３が形成されている。第３の開口１０３は、第１の板金部材７３の軽量化のための肉抜き穴である。第１の周縁部対向領域１００の上周縁部、下周縁部、左周縁部および右周辺部には、各辺（上辺９６ａ、下辺９６ｂ、左辺９６ｃおよび右辺９６ｄ）の延びる方向に長い長穴（穴部）１０４が形成されている。長穴１０４は、第１の板金部材７３の軽量化のための肉抜き穴である。第１の平板状部９６の左下部および右端部には、上下方向に長い長穴（穴部）１０５が形成されている。長穴１０５は、液晶搭載中継基板７９の放熱のための肉抜き穴である。
【００６８】
各第１の導通片部９７は、第１の平板状部９６の４つの隅部において、前側へ折り曲げることにより形成された第１の接続板部１０６と、第１の接続板部１０６の先端から外方へ折り曲げることにより形成された第１の接触板部１０７とを一体に含む。第１の接触板部１０７は、前後方向に直交する方向に延びている。
上下一対の第１の左側取付け部９８は、第１の平板状部９６の左辺９６ｃから左方に向けて突出している。各第１の左側取付け部９８には、ねじ穴が形成されている。
【００６９】
上下一対の第１の右側取付け部９９は、第１の平板状部９６の右辺９６ｄから右方に向けて突出している。各第１の右側取付け部９９には、ねじ穴が形成されている。
４つの第１の隅導電部材７４は、それぞれ平面視矩形のシートである。各第１の隅導電部材７４は、導電スポンジによって構成されている。導電スポンジの材質として、ゴムやシリコーン、ウレタンを例示できる。４つの第１の隅導電部材７４は、第１の液晶パネル７１の後面の４つの隅部のそれぞれに貼着されている。
【００７０】
第１の装飾カバー７２と第１の板金部材７３とは、複数のねじ（固定手段）を用いたねじ止めによって互いに接合されている。正面視において、第１の装飾カバー７２の第１の平板状部９６の外周縁は、第１の装飾カバー７２の外周縁に揃っている。具体的には、図１６Ｂに示すように、第１の装飾カバー７２の第１の包囲枠８７の後端縁が第１の平板状部９６の周縁部の前面に突き当てられている。また、第１の平板状部９６の第１の板金部材７３の第１の平板状部９６の上辺９６ａ、下辺９６ｂ、左辺９６ｃおよび右辺９６ｄが第１の包囲枠８７の各外周縁８７ａと面一をなしている。
【００７１】
また、この収容状態では、第１の液晶パネル７１の後面に貼着されている４つの第１の隅導電部材７４が、それぞれ、対応する第１の導通片部９７の第１の接触板部１０７に接触する。そのため、第１の液晶パネル７１の上下方向位置の如何によらずに第１の液晶パネル７１と第１の板金部材７３との導通を図ることができ、第１の液晶パネル７１の上下方向位置の如何によらずに第１の液晶パネル７１における帯電を防止できる。また、第１の液晶パネル７１の後面の隅部の４か所において接地を行うことができるから、第１の液晶パネル７１への帯電をより一層良好に抑制または防止できる。
【００７２】
また、各第１の隅導電部材７４がシート状をなし、かつ導電スポンジを用いて構成されているので、第１の隅導電部材７４と、対応する第１の導通片部９７との導通を確保しながら、第１の液晶表示装置２２Ａの、前後方向（厚み方向）への小型化を図ることができる。
第１の左側レンズ部材７５は、上下方向に延びる柱状部材であり、第１の装飾カバー７２の左側方を覆うように配置されている。第１の左側レンズ部材７５は、透光性を有する樹脂材料（たとえば、ポリカーボネイト（ＰＣ）やＡＢＳ樹脂、アクリル樹脂）を用いて形成されている。第１の左側レンズ部材７５の前面には装飾が施されている。第１の左側レンズ部材７５の後面に設けられた第１の左係合ピン７５ａが、対応する第１の左係合穴部８８に係合することにより、第１の左側レンズ部材７５が第１の装飾カバー７２に取り付けられる。第１の左側レンズ部材７５は、第１の左側レンズ部材７５に後方から入った光を散乱させながら前面へと導き、前面から前方へと放つ。
【００７３】
第１の右側レンズ部材７６は、上下方向に延びる柱状部材であり、第１の装飾カバー７２の右側方を覆うように配置されている。第１の右側レンズ部材７６は、透光性を有する樹脂材料（たとえば、ポリカーボネイト（ＰＣ）やＡＢＳ樹脂、アクリル樹脂）を用いて形成されている。第１の右側レンズ部材７６の前面には装飾が施されている。第１の右側レンズ部材７６の後面に設けられた第１の右係合ピン７６ａが、対応する第１の右係合穴部８９に係合することにより、第１の右側レンズ部材７６が第１の装飾カバー７２に取り付けられる。第１の右側レンズ部材７６は、第１の右側レンズ部材７６に後方から入った光を散乱させながら前面へと導き、前面から前方へと放つ。
【００７４】
第１の左側スライドガイド７７は、上下に長い第１の左側ガイド本体部１１１と、第１の左側ガイド本体部１１１の上端部から左斜め後方に膨出する第１の左側膨出部１１２とを含む。第１の左側ガイド本体部１１１および第１の左側膨出部１１２は、樹脂材料（たとえばポリカーボネイト（ＰＣ））を用いて一体に設けられている。第１の左側膨出部１１２は、左側昇降ユニット５２の左側機構ベース６１に上下動自在に取り付けられている。第１の左側ガイド本体部１１１の上端部および下端部には、ねじ挿通穴が形成されている。これらのねじ挿通穴を挿通するねじ（図示しない）を、上下一対の第１の左側取付け部９８のねじ穴にねじ締結することより、第１の左側スライドガイド７７が第１の板金部材７３への固定が達成される。
【００７５】
第１の右側スライドガイド７８は、上下に長い第１の右側ガイド本体部１１３と、第１の右側ガイド本体部１１３の上端部から左斜め後方に膨出する第１の右側膨出部１１４とを含む。第１の右側ガイド本体部１１３および第１の右側膨出部１１４は、樹脂材料（たとえば、ポリカーボネイト（ＰＣ）やＡＢＳ樹脂、アクリル樹脂）を用いて一体に設けられている。第１の右側膨出部１１４は、右側昇降ユニット５３の右側機構ベース６６に上下動自在に取り付けられている。第１の右側ガイド本体部１１３の上端部および下端部には、ねじ挿通穴が形成されている。これらのねじ挿通穴を挿通するねじ（図示しない）を、上下一対の第１の右側取付け部９９のねじ穴にねじ締結することより、第１の右側スライドガイド７８が第１の板金部材７３への固定が達成される。
【００７６】
液晶搭載中継基板７９（図１５および図１６Ａ参照）は、第１の液晶パネル７１の後面の左上隅部に配置されている。液晶搭載中継基板７９は、第１の液晶パネル７１に固定されている。液晶搭載中継基板７９に、第１の配線ケーブル８０の一端が接続されている。第１の配線ケーブル８０の他端は、第１の液晶パネル７１と第１の板金部材７３との間を通って左方に引き出されて、第１の液晶パネル７１の左方に配置された第１の中継基板８１に接続されている。第１の中継基板８１は、演出領域Ｐ（図２参照）内の所定位置に取り付けられている。第１の配線ケーブル８０は、ケーブル押さえ８２によって支持される。
【００７７】
液晶搭載中継基板７９には、第１の配線ケーブル８０だけでなく、第２の配線ケーブル８３の一端も接続されている。第２の配線ケーブル８３の他端は、第１の板金部材７３の第２の開口１０２を通って後方へ引き出され、かつ第２の液晶パネル１２１の下方を通って、左側機構ベース６１の後面に固定された、次に述べる第２の中継基板１３１に接続される。
【００７８】
図１７および図１８は、第２の液晶表示装置２２Ｂの分解斜視図である。図２６Ａは、第２の液晶表示装置２２Ｂの背面図である。図２６Ｂは、第２の液晶表示装置２２Ｂの周縁部の要部の断面図である。
第２の液晶表示装置２２Ｂは、第２の液晶パネル（液晶表示手段）１２１と、第２の装飾カバー（前側部材）１２２と、第２の板金部材１２３と、３つの第２の隅導電部材１２４と、第２の左側レンズ部材１２５と、第２の右側レンズ部材１２６と、第２の左側スライドガイド１２７と、第２の右側スライドガイド１２８と、第２の中継基板１３１と、第２の配線ケーブル８３と、左電飾基板１３２と、右電飾基板１３３と、電飾用配線１３４と、中継配線１２９とを含む。第２の装飾カバー１２２は、樹脂材料（たとえば、ポリカーボネイト（ＰＣ）やＡＢＳ樹脂、アクリル樹脂）を用いて形成されている。すなわち、第２の装飾カバー１２２は樹脂カバーである。
【００７９】
第２の装飾カバー１２２および第２の板金部材１２３は、第２の液晶パネル１２１を前後から挟んだ状態で、第２の液晶パネル１２１を収容支持している。すなわち、第２の装飾カバー１２２および第２の板金部材１２３は、液晶支持手段を構成する。第２の板金部材１２３は強度および剛性が高いので、第２の装飾カバー１２２および第２の板金部材１２３は、高い強度および高い剛性を維持しながら第２の液晶パネル１２１を支持できる。
【００８０】
第２の液晶パネル１２１は、横長方形の板状のパネルである。第２の液晶パネル１２１の前面に、矩形の第２の液晶表示領域２３Ｂが設けられている。第２の液晶パネル１２１の第２の液晶表示領域２３Ｂの大きさは、たとえば１２.１インチ（２４０ｍｍ×３６０ｍｍ）である。第２の液晶パネル１２１の前面のうち第２の液晶表示領域２３Ｂを除く部分、第２の液晶パネル１２１の上下左右の端面、および第２の液晶パネル１２１の後面は、それぞれ、金属板（たとえば鉄板）によって構成されている。この実施形態では、第２の液晶パネル１２１は、第１の液晶パネル７１と共通の諸元を有している。すなわち、同じ諸元の液晶パネルを、第１の液晶パネル７１および第２の液晶パネル１２１の双方に適用できるから、コストの低減を図ることができる。
【００８１】
第２の装飾カバー１２２は、四角環状をなし、正面視において第２の液晶パネル１２１よりも一回り大きいサイズを有している。第２の装飾カバー１２２は、前後方向に直交する方向に延びる四角枠状の第２の前枠部１３６と、第２の前枠部１３６の外端縁から後方へと突出する四角枠状の第２の包囲枠（支持部）１３７と、第２の包囲枠１３７の左端部に設けられた上下一対の第２の左係合穴部１３８と、第２の包囲枠１３７の右端部に設けられた上下一対の第２の右係合穴部１３９とを含む。第２の前枠部１３６、第２の包囲枠１３７、第２の左係合穴部１３８および第２の右係合穴部１３９は、樹脂材料（たとえばポリカーボネイト（ＰＣ））を用いて一体に設けられている。
【００８２】
第２の装飾カバー１２２の第２の前枠部１３６の上部分および下部分には、それぞれ装飾が施されている。第２の前枠部１３６の上部分には、第２の上表示部１４０が設けられている。第２の上表示部１４０には、たとえば所定の模様が記されている。
第２の装飾カバー１２２は第２の液晶パネル１２１を収容する。この収容状態で、第２の液晶パネル１２１の前面の周縁部が第２の装飾カバー１２２の第２の前枠部１３６によって覆われ、かつ、第２の液晶パネル１２１の上下左右の端面が第２の装飾カバー１２２の第２の包囲枠１３７によって覆われる（包囲される）。
【００８３】
第２の板金部材１２３は、第２の液晶パネル１２１を後方から支持する補強用部材である。また、第２の板金部材１２３はアースされており、第２の板金部材１２３は、第２の液晶パネル１２１を接地するアース手段を兼ねている。第２の板金部材１２３は、略矩形の平板状の板金からなる第２の平板状部１４６と、第２の平板状部１４６の３つの隅部（左上隅部、左下隅部および右上隅部）のそれぞれに設けられた第２の導通片部１４７とを含む。第２の平板状部１４６および３つの第２の導通片部１４７は、一体に設けられている。
【００８４】
第２の平板状部１４６は、正面視において第２の液晶パネル１２１よりも一回り大きいサイズを有する。第２の平板状部１４６は、第２の液晶パネル１２１の後面に対向している。第２の平板状部１４６は、第２の液晶パネル１２１の後面の周縁部に対向する第２の周縁部対向領域１５０を有している。第２の板金部材１２３の第２の周縁部対向領域１５０が、第２の液晶パネル１２１の周縁部を直接支持する。そのため、より一層高い強度および高い剛性を維持しながら第２の液晶パネル１２１を支持できる。
【００８５】
第２の平板状部１４６には、多数の開口や穴が形成されている。第２の平板状部１４６の中央部から右部に亘って大きな矩形の第４の開口（穴部）１５１が形成されている。第４の開口１５１は、第２の板金部材１２３の軽量化のための肉抜き穴である。第２の平板状部１４６の左部であってかつ上下方向の中央部には、矩形の第５の開口（穴部）１５２が形成されている。第５の開口１５２は、第４の開口１５１よりも小さい。第５の開口１５２は、第２の中継基板１３１に他端が接続される第２の配線ケーブル８３を挿通させるための肉抜き穴である。第２の平板状部１４６の右下部には、上下方向に長い長方形状の第６の開口（穴部）１５３が形成されている。第６の開口１５３は、電飾用配線１３４を挿通させるための肉抜き穴である。第２の周縁部対向領域１５０の上周縁部および下周縁部には、左右方向に長い長穴（穴部）１５４が形成されている。長穴１５４は、第１の板金部材７３の軽量化のための肉抜き穴である。第２の平板状部１４６の左上部、左下部および右端部には、上下方向に長い長穴（穴部）１５５が形成されている。長穴１５５は、第２の中継基板１３１の放熱のための肉抜き穴である。
【００８６】
各第２の導通片部１４７は、第２の平板状部１４６の３つの隅部（左上隅部、左下隅部および右上隅部）において、前側へ折り曲げることにより形成された第２の接続板部１５６と、第２の接続板部１５６の先端から外方へ折り曲げることにより形成された第２の接触板部１５７とを一体に含む。第２の接触板部１５７は、前後方向に直交する方向に延びている。
【００８７】
３つの第２の隅導電部材１２４は、それぞれ平面視矩形のシートである。各第２の隅導電部材１２４は、導電スポンジによって構成されている。導電スポンジの材質として、ゴムやシリコーン、ウレタンを例示できる。３つの第２の隅導電部材１２４は、第２の液晶パネル１２１の後面の３つの隅部（左上隅部、左下隅部および右上隅部）のそれぞれに貼着されている。
【００８８】
第２の装飾カバー１２２と第２の板金部材１２３とは、複数のねじ（固定手段）を用いたねじ止めによって互いに接合されている。正面視において、第２の装飾カバー１２２の第２の平板状部１４６の外周縁は、第２の装飾カバー１２２の外周縁と揃っている。具体的には、図２６Ｂに示すように、第２の装飾カバー１２２の第２の包囲枠１３７の後端縁が第２の平板状部１４６の周縁部の前面に突き当てられている。また、第２の平板状部１４６の第２の板金部材１２３の第２の平板状部１４６の上辺１４６ａ、下辺１４６ｂ、左辺１４６ｃおよび右辺１４６ｄが第２の包囲枠１３７の各外周縁１３７ａと面一をなしている。
【００８９】
また、この収容状態では、第２の液晶パネル１２１の後面に貼着されている３つの第２の隅導電部材１２４が、それぞれ、対応する第２の導通片部１４７の第２の接触板部１５７に接触する。そのため、第２の液晶パネル１２１の上下方向位置の如何によらずに第２の液晶パネル１２１と第２の板金部材１２３との導通を図ることができ、第２の液晶パネル１２１の上下方向位置の如何によらずに第２の液晶パネル１２１における帯電を防止できる。また、第２の液晶パネル１２１の後面の隅部の３か所において接地を行うことができるから、第２の液晶パネル１２１への帯電をより一層良好に抑制または防止できる。
【００９０】
また、各第２の隅導電部材１２４がシート状をなし、かつ導電スポンジを用いて構成されているので、第２の隅導電部材１２４と、対応する第２の導通片部１４７との導通を確保しながら、第２の液晶表示装置２２Ｂの、前後方向（厚み方向）への小型化を図ることができる。
第２の左側レンズ部材１２５は、上下方向に延びる柱状部材であり、第２の装飾カバー１２２の左側方を覆うように配置されている。第２の左側レンズ部材１２５は、透光性を有する樹脂材料（たとえば、ポリカーボネイト（ＰＣ）やＡＢＳ樹脂、アクリル樹脂）を用いて形成されている。第２の左側レンズ部材１２５の前面には装飾が施されている。第２の左側レンズ部材１２５の後面に設けられた第２の左係合ピン１２５ａが、対応する第２の左係合穴部１３８に係合することにより、第２の左側レンズ部材１２５が第２の装飾カバー１２２に取り付けられる。第２の左側レンズ部材１２５は、第２の左側レンズ部材１２５に後方から入った光を散乱させながら前面へと導き、前面から前方へと放つ。
【００９１】
第２の右側レンズ部材１２６は、上下方向に延びる柱状部材であり、第２の装飾カバー１２２の右側方を覆うように配置されている。第２の右側レンズ部材１２６は、透光性を有する樹脂材料（たとえば、ポリカーボネイト（ＰＣ）やＡＢＳ樹脂、アクリル樹脂）を用いて形成されている。第２の右側レンズ部材１２６の前面には装飾が施されている。第２の右側レンズ部材１２６の後面に設けられた第２の右係合ピン１２６ａが、対応する第２の右係合穴部１３９に係合することにより、第２の右側レンズ部材１２６が第２の装飾カバー１２２に取り付けられる。第２の右側レンズ部材１２６は、第２の右側レンズ部材１２６に後方から入った光を散乱させながら前面へと導き、前面から前方へと放つ。
【００９２】
第２の左側スライドガイド１２７は、上下に長い第２の左側ガイド本体部１６１と、第２の左側ガイド本体部１６１の上端部から左斜め後方に膨出する第２の左側膨出部１６２とを含む。第２の左側ガイド本体部１６１および第２の左側膨出部１６２は、樹脂材料樹脂材料（たとえば、ポリカーボネイト（ＰＣ）やＡＢＳ樹脂、アクリル樹脂）を用いて一体に設けられている。第２の左側膨出部１６２は、左側昇降ユニット５２の左側機構ベース６１に上下動自在に取り付けられている。第２の左側ガイド本体部１６１の上端部および下端部には、ねじ挿通穴が形成されている。これらのねじ挿通穴を挿通するねじ（図示しない）を、第２の平板状部１４６において左辺１４６ｃの近傍に設けられた上下一対のねじ穴にねじ締結することより、第２の左側スライドガイド１２７が第２の板金部材１２３への固定が達成される。
【００９３】
第２の右側スライドガイド１２８は、上下に長い第２の右側ガイド本体部１６３と、第２の右側ガイド本体部１６３の上端部から左斜め後方に膨出する第２の右側膨出部１６４とを含む。第２の右側ガイド本体部１６３および第２の右側膨出部１６４は、樹脂材料樹脂材料（たとえば、ポリカーボネイト（ＰＣ）やＡＢＳ樹脂、アクリル樹脂）を用いて一体に設けられている。第２の右側膨出部１６４は、右側昇降ユニット５３の右側機構ベース６６に上下動自在に取り付けられている。第２の右側ガイド本体部１６３の上端部および下端部には、ねじ挿通穴が形成されている。これらのねじ挿通穴を挿通するねじ（図示しない）を、第２の平板状部１４６において右辺１４６ｄの近傍に設けられた上下一対のねじ穴にねじ締結することより、第２の右側スライドガイド１２８が第２の板金部材１２３への固定が達成される。
【００９４】
第２の中継基板１３１（図１７、図１８および図２６Ａ参照）は、第２の液晶パネル１２１の後面の左部に配置されている。第２の中継基板１３１は、第２の液晶パネル１２１に固定されている。第２の中継基板１３１に、第２の配線ケーブル８３の他端が接続されている。
左電飾基板１３２は、第２の左側レンズ部材１２５の後方に配置されている。左電飾基板１３２の前面には、第２の左側レンズ部材１２５の後方に、ＬＥＤ等の複数の第１の発光体（図示しない。次に述べる第２の発光体１３３ａ（図１７参照）と同等）が上下方向に並んで配置されている。左電飾基板１３２は、第２の液晶パネル１２１の後面の左部に取り付けられ、当該左部に支持されている。第２の左側レンズ部材１２５の後方に第１の発光体が配置されているので、第２の左側レンズ部材１２５は、第１の発光体から第２の左側レンズ部材１２５に入った光を前方へと放つ。
【００９５】
右電飾基板１３３は、第２の右側レンズ部材１２６の後方に配置されている。右電飾基板１３３の前面には、第２の右側レンズ部材１２６の後方に、ＬＥＤ等の複数の第２の発光体１３３ａが上下方向に並んで配置されている。右電飾基板１３３は、第２の液晶パネル１２１の後面の右部に支持されている。第２の右側レンズ部材１２６の後方に第２の発光体１３３ａが配置されているので、第２の左側レンズ部材１２５は、第２の発光体１３３ａから第２の左側レンズ部材１２５に入った光を前方へと放つ。
【００９６】
電飾用配線１３４は、右電飾基板１３３に電圧や信号を供給するための配線である。電飾用配線１３４は、配線押さえ１３５や配線ガイド１３０によって、第２の液晶パネル１２１の後面に支持されている。
中継配線１２９は、右電飾基板１３３から左電飾基板１３２に電圧や信号を供給するための配線である。
【００９７】
また、第１および第２の液晶表示装置２２Ａ，２２Ｂの第３の液晶昇降状態（図１２に示す状態）では、第１の左側レンズ部材７５の後方に第２の左側レンズ部材１２５が位置し、かつ第２の左側レンズ部材１２５の後方に第２の左側レンズ部材１２６が位置するようになる。このとき、正面視において、第１の左側レンズ部材７５は第２の左側レンズ部材１２５に揃い、かつ第２の左側レンズ部材７６は第２の左側レンズ部材１２６に揃っている。
【００９８】
この第３の液晶昇降状態（図１２に示す状態）では、第２の左側レンズ部材１２５から前方に放たれた光が、第１の左側レンズ部材７５に入り、第１の左側レンズ部材７５の前面から前方へと放たれる。第１の左側レンズ部材７５は独自の光源を有していないが、第２の左側レンズ部材１２５の光源である第１の発光体の光を利用することにより、第１の左側レンズ部材７５を光らせることができる。
【００９９】
また、この第３の液晶昇降状態（図１２に示す状態）では、第２の右側レンズ部材１２６から前方に放たれた光が、第１の右側レンズ部材７６に入り、第１の右側レンズ部材７６の前面から前方へと放たれる。第１の右側レンズ部材７６は独自の光源を有していないが、第２の右側レンズ部材１２６の光源である第２の発光体１３３ａの光を利用することにより、第１の右側レンズ部材７６を光らせることができる。
【０１００】
図２に示すように、演出領域Ｐには、砲塔を模した第１の可動役物４８が配置されている。演出領域Ｐには、第１の可動役物４８の他に第２の可動役物４９（図４０等参照）が配置されている。第２の可動役物４９は、所定の演出時（たとえばリーチ演出時）を除き、前方に位置する遊技者から視認できないようにされている。第２の可動役物４９は、次に述べる可動役物装置３０１に含まれる。
【０１０１】
図２０〜図２２は、演出領域Ｐ（図２参照）に配置される可動役物装置３０１の斜視図である。可動役物装置３０１は、演出領域Ｐの上方に配置された上部ユニット３０２と、演出領域Ｐの下方に配置された下部ユニット３０３と、演出領域Ｐの左方に配置された左部ユニット３０４と、演出領域Ｐの右方に配置された右部ユニット３０５とを含む。
左部ユニット３０４は、前後方向に直交する鉛直姿勢をなしている。左部ユニット３０４は、演出領域Ｐの左側に退避する退避位置（図２０に示す位置）と、演出領域Ｐの左右方向の中央部に位置する表示位置（図２１および図２２に示す位置）との間で左右方向にスライド移動可能に設けられている。
【０１０２】
右部ユニット３０５は、前後方向に直交する鉛直姿勢をなしている。右部ユニット３０５は、演出領域Ｐの右側に退避する退避位置（図２０に示す位置）と、演出領域Ｐの左右方向の中央部に位置する表示位置（図２１および図２２に示す位置）との間で左右方向にスライド移動可能に設けられている。
左部ユニット３０４および右部ユニット３０５がそれぞれ表示位置に位置する状態（図２１および図２２に示す状態）で、左部ユニット３０４および右部ユニット３０５が互いに近接している。この状態で、左部ユニット３０４および右部ユニット３０５は、ミサイルを模した第２の可動役物４９として機能する。
【０１０３】
また、後述するように、左部ユニット３０４および右部ユニット３０５の閉状態（の閉下状態）において、左部ユニット３０４および右部ユニット３０５の飾り３１２，３１３，３４２，３４３は、対応するベース板３１０，３４０に対して上方または斜め上方に移動可能に設けられている。飾り３１２，３１３，３４２，３４３が下位置または非拡大姿勢にある状態（図２１に示す状態）において、第２の可動役物４９（左部ユニット３０４および右部ユニット３０５）は、発射前の状態を模している。この状態から、飾り３１２，３１３，３４２，３４３を、上位置または拡大姿勢にある状態（図２２に示す状態）に遷移させることにより、ミサイル発射を模した演出動作を行うことができる。
【０１０４】
以下、左部ユニット３０４および右部ユニット３０５が退避位置に位置している状態を、可動役物装置３０１の「開状態」と呼ぶ。また、左部ユニット３０４および右部ユニット３０５が表示位置に位置している状態を、可動役物装置３０１の「閉状態」と呼ぶ。また、可動役物装置３０１の「閉状態」のうち、飾り３１２，３１３，３４２，３４３が下位置または非拡大姿勢にある状態（図２１に示す状態）を、可動役物装置３０１の「閉下状態」と呼び、可動役物装置３０１の「閉状態」のうち、飾り３１２，３１３，３４２，３４３が上位置または拡大姿勢にある状態（図２２に示す状態）を、可動役物装置３０１の「閉上状態」と呼ぶ。
【０１０５】
図２３および図２４は、左部ユニット３０４の分解斜視図である。
左部ユニット３０４は、左側ベース板３１０と、左側ベース板３１０を下方から支持する左側板金部材３１１と、左側ベース板３１０の前面右部を覆う左側飾り３１２と、左側ベース板３１０の前面左部を覆う左側拡大飾り３１３と、左側ベース板３１０の前面左部を覆う左側上飾り３１４とを含む。
【０１０６】
左側ベース板３１０は、前後方向に直交する方向に延びる板状であり、平面視で、上下方向に長い長方形をなしている。左側ベース板３１０は、樹脂材料（たとえば、ポリカーボネイト（ＰＣ）やＡＢＳ樹脂、アクリル樹脂）を用いて形成されている。左側ベース板３１０の前面には、次に述べる左側昇降リンク装着領域３１５を除き、装飾が施されている。左側ベース板３１０の右端縁には、上下一対の左側ガイド凹部３１６，３１７が形成されている。上側の第１の左側ガイド凹部３１６および下側の第２の左側ガイド凹部３１７は、上下方向に延びる直線状をなしている。第１および第２の左側ガイド凹部３１６，３１７は、左側飾り３１２の次に述べる第１の左側ピン３２６および第２の左側ピン３２７の各々に係合し、第１の左側ピン３２６および第２の左側ピン３２７の各々を、各左側ガイド凹部３１６，３１７の延びる方向に沿う方向（すなわち、上下方向）にガイドする。
【０１０７】
左側ベース板３１０の左部には、第３の左側ガイド凹部３１８が形成されている。第３の左側ガイド凹部３１８は、上下方向に延びる上下方向部３１９と、上下方向部３１９の上端から左斜め上方に延びる傾斜部３２０とを含む。第３の左側ガイド凹部３１８には、左側拡大飾り３１３の次に述べる第３の左側ピン３２９が嵌っている。第３の左側ガイド凹部３１８は、第３の左側ピン３２９に係合し、第３の左側ピン３２９を、第３の左側ガイド凹部３１８の延びる方向（すなわち、上下方向または斜め方向）にガイドする。
【０１０８】
左側ベース板３１０の前面には、次に述べる左側昇降リンク部材３３３が装着される左側昇降リンク装着領域３１５が設けられている。この左側昇降リンク装着領域３１５には、前面から前方に向けて突出する上下一対の第４の左側ピン３２１および第５の左側ピン３２２が形成されている。
左側板金部材３１１は、水平面部３２３と鉛直面部３２４とを一体に含み、一枚物の板金を曲げることにより形成されている。鉛直面部３２４は、左側ベース板３１０の後面の下端部に、ねじ止め等によって固定されている。具体的には、鉛直面部３２４は、左側ベース板３１０の下端部の左右両端部において、左側ベース板３１０にねじ締結されている。すなわち、左側板金部材３１１は、左側ベース板３１０の左右両端部において、左側ベース板３１０を直接支持している。
【０１０９】
左側板金部材３１１の水平面部３２３は、後述するレールシャフト３８６（図２７等参照）に対して左右方向にスライド可能に取り付けられた左側スライダ（図示しない）にねじ止め等によって固定されている。左側板金部材３１１は、左側ベース板３１０を鉛直姿勢に支持する。左側スライダには、第１の駆動モータ２２１（図３０Ｂ参照）が連結されている。第１の駆動モータ２２１の駆動により、左側スライダ３３９が左右方向にスライドし、これにより、左部ユニット３０４が退避位置（図２０に示す位置）と表示位置（図２１等に示す位置）との間で左右方向にスライドされる。すなわち、左側スライダは、左部ユニット３０４を、任意の左右方向位置において鉛直姿勢に保持する。
【０１１０】
左側板金部材３１１には、水平面部３２３から鉛直面部３２４に跨る複数本の膨らみ部３２５が形成されている。膨らみ部３２５は、補強のために設けられている。
左側板金部材３１１には、水平面部３２３の左端から左方に向けて延びる左側検出片部３３８が設けられている。左側検出片部３３８は水平面部３２３と一体に形成されている。
【０１１１】
左側飾り３１２は、前後方向に直交する方向に延びる板状であり、平面視で、上下方向に細長い長方形をなしている。左側飾り３１２は、樹脂材料（たとえば、ポリカーボネイト（ＰＣ）やＡＢＳ樹脂、アクリル樹脂）を用いて形成されている。左側飾り３１２は、ミサイルの中央寄りの左部分を模した外観を有している。
左側飾り３１２は、下位置（図２０および図２１に示す位置）と、上位置（図２２に示す位置）との間で昇降（上下動）可能に設けられている。具体的には、左側飾り３１２の後面の右側縁には、後方に向けて突出する上下一対の左側ピン３２６，３２７が配置されている。第１および第２の左側ピン３２６，３２７は、左側飾り３１２と一体に形成されている。第１の左側ピン３２６および第２の左側ピン３２７は、それぞれ第１および第２の左側ガイド凹部３１６，３１７に嵌っている。第１および第２の左側ガイド凹部３１６，３１７は、第１の左側ピン３２６および第２の左側ピン３２７の各々に係合し、第１の左側ピン３２６および第２の左側ピン３２７の各々を、各左側ガイド凹部３１６，３１７の延びる方向に沿う動き（すなわち、上下動）にガイドする。
【０１１２】
また、左側飾り３１２の上端部には、左側拡大軸（図示しない）が挿通するための左側軸挿通穴３２８が形成されている。左側軸挿通穴３２８は、左側飾り３１２の上端部から左方に向けて突出する左側軸支持部３２８ａに形成されている。
左側拡大飾り３１３は、前後方向に直交する方向に延びる板状であり、平面視で、上下方向に細長い長方形をなしている。左側拡大飾り３１３は、樹脂材料（たとえば、ポリカーボネイト（ＰＣ）やＡＢＳ樹脂、アクリル樹脂）を用いて形成されている。左側拡大飾り３１３は、その前面が、ミサイルの左端部分を模した外観を有している。
【０１１３】
左側拡大飾り３１３は、左側飾り３１２を介して左側ベース板３１０の前面に取り付けられている。具体的には、左側拡大飾り３１３の後面の上端部には、前後方向に延びる左側拡大軸（図示しない）が固定的に取り付けられており、左側拡大軸が、左側軸挿通穴３２８に挿通される。左側拡大飾り３１３は、左側拡大軸により、当該左側拡大軸を中心として回動可能に設けられている。左側拡大飾り３１３は、左側飾り３１２に対し、非拡大姿勢（図２０および図２１に示す位置）と、通常位置よりも側方（左方）に広がる拡大姿勢（図２２に示す位置）との間で姿勢変更可能に設けられている。また、左側拡大飾り３１３は、左側飾り３１２の昇降動作に連動して昇降する。
【０１１４】
左側上飾り３１４は、左側ベース板３１０の前面の上面にねじ止め等により固定されている。左側上飾り３１４は、左側飾り３１２や左側拡大飾り３１３よりも一段後方寄りに配置されている。
左部ユニット３０４は、さらに、左側飾り３１２および左側拡大飾り３１３を、左側ベース板３１０に対して昇降（スライド）させる左側昇降リンク部材３３３を含む。左側昇降リンク部材３３３は、左側ベース板３１０の前面の左側昇降リンク装着領域３１５に、左側ベース板３１０に対して昇降可能に取り付けられている。左側昇降リンク部材３３３は、左部ユニット３０４が表示位置（図２１および図２２に示す位置）に配置されている状態で、後述する昇降スライダ３８３（図２９等参照）等を介して、第３の駆動モータ２２３（図３０Ｂ参照）に連結されている。この状態で、左側昇降リンク部材３３３は、下位置（図２９に示す位置）と、上位置（図３０Ａに示す位置）との間で昇降させられる。
【０１１５】
左側昇降リンク部材３３３は、上下方向に細長い部材であり、樹脂材料（たとえば、ポリカーボネイト（ＰＣ）やＡＢＳ樹脂、アクリル樹脂）を用いて形成されている。左側昇降リンク部材３３３は、多数の歯が上下方向に並ぶ歯部３３４を含む。歯部３３４は、左側昇降リンク部材３３３の右側側面に形成されている。歯部３３４は、左側飾り３１２の後面に固定的に取り付けられた左側係合爪（図示しない）に噛み合う。左側昇降リンク部材３３３は、上下方向に長い第４の左側ガイド凹部３３５と、上下方向に長い第５の左側ガイド凹部３３６とを含む。左側昇降リンク部材３３３の後面の下端部には、後方に向けて突出する左側リンク係合ピン３３７が設けられている。左側リンク係合ピン３３７は、左側昇降リンク部材３３３の本体部と一対に形成されている。
【０１１６】
左側昇降リンク部材３３３の昇降動作に伴って、歯部３３４に噛み合う左側係合爪を介して、左側飾り３１２に上向きまたは下向きの力が加わる。また、前述のように第１および第２の左側ガイド凹部３１６，３１７が、第１の左側ピン３２６および第２の左側ピン３２７を介して左側飾り３１２を上下方向にガイドする。そのため、左側昇降リンク部材３３３の昇降動作に伴って、左側飾り３１２も昇降する。
【０１１７】
また、左側飾り３１２および左側拡大飾り３１３の上部の双方が、左側拡大軸（図示しない）によって支持されているので、左側飾り３１２の昇降動作に伴って、左側拡大飾り３１３も昇降（上下動）する。前述のように第３の左側ガイド凹部３１８が上下方向部３１９と傾斜部３２０とを含んでおり、かつ、第３の左側ガイド凹部３１８が第３の左側ピン３２９を第３の左側ガイド凹部３１８の延びる方向（すなわち、上下方向または斜め方向）にガイドする。これに伴い、左側拡大飾り３１３は左側拡大軸周りに回動する。すなわち、左側拡大飾り３１３の昇降に伴って、左側拡大飾り３１３は左側拡大軸周りに回動する。すなわち、左側飾り３１２の昇降動作に伴って、左側拡大飾り３１３は姿勢変更させられる。
【０１１８】
前述のように、左側拡大飾り３１３は、非拡大姿勢（図２０および図２１に示す姿勢）と、拡大姿勢（図２２に示す姿勢）との間で姿勢変更可能に設けられている。左側昇降リンク部材３３３が下位置（図２９参照）に配置されているときには、左側拡大飾り３１３は非拡大姿勢をなし、左側昇降リンク部材３３３が上位置（図３０Ａ参照）に配置されているときには、左側拡大飾り３１３は拡大姿勢をなす。
【０１１９】
なお、左側昇降リンク部材３３３の高さ位置の上限は、第４および第５の左側ピン３２１，３２２がそれぞれ第４および第５の左側ガイド凹部３３５，３３６の上端縁に係合することにより規制される。また、左側昇降リンク部材３３３の高さ位置の下限は、第４および第５の左側ピン３２１，３２２がそれぞれ第４および第５の左側ガイド凹部３３５，３３６の下端縁に係合することにより規制される。
【０１２０】
左部ユニット３０４は、左部基板３１２と、左部基板３１２に電源や信号を供給するための左部配線３１３とをさらに含む。左部基板３１２は、左側ベース板３１０の後面の略全域に配置される。
図２５および図２６は、右部ユニット３０５の分解斜視図である。
右部ユニット３０５は、右側ベース板３４０と、右側ベース板３４０を下方から支持する右側板金部材３４１と、右側ベース板３４０の前面左部を覆う右側飾り３４２と、右側ベース板３４０の前面右部を覆う右側拡大飾り３４３と、右側ベース板３４０の前面右部を覆う右側上飾り３４４とを含む。
【０１２１】
右側ベース板３４０は、前後方向に直交する方向に延びる板状であり、平面視で、上下方向に長い長方形をなしている。右側ベース板３４０は、樹脂材料（たとえば、ポリカーボネイト（ＰＣ）やＡＢＳ樹脂、アクリル樹脂）を用いて形成されている。右側ベース板３４０の前面には、次に述べる右側昇降リンク装着領域３４５を除き、装飾が施されている。右側ベース板３４０の左端縁には、上下一対の右側ガイド凹部３４６，３４７が形成されている。上側の第１の右側ガイド凹部３４６および下側の第２の右側ガイド凹部３４７は、上下方向に延びる直線状をなしている。第１および第２の右側ガイド凹部３４６，３４７は、右側飾り３４２の第１の右側ピン３５６および第２の右側ピン３５７の各々に係合し、第１の右側ピン３５６および第２の右側ピン３５７の各々を、各右側ガイド凹部３４６，３４７の延びる方向に沿う方向（すなわち、上下方向）にガイドする。
【０１２２】
右側ベース板３４０の右部には、第３の右側ガイド凹部３４８が形成されている。第３の右側ガイド凹部３４８は、上下方向に延びる上下方向部３１９と、上下方向部３１９の上端から右斜め上方に延びる傾斜部３２０とを含む。第３の右側ガイド凹部３４８には、右側拡大飾り３４３の次に述べる第３の右側ピン３５９が嵌っている。第３の右側ガイド凹部３４８は、第３の右側ピン３５９に係合し、第３の右側ピン３５９を、第３の右側ガイド凹部３４８の延びる方向（すなわち、上下方向または斜め方向）にガイドする。
【０１２３】
右側ベース板３４０の前面には、次に述べる右側昇降リンク部材３６３が装着される右側昇降リンク装着領域３４５が設けられている。この右側昇降リンク装着領域３４５には、前面から前方に向けて突出する上下一対の第４の右側ピン３５１および第５の右側ピン３５２が形成されている。
右側板金部材３４１は、水平面部３５３と鉛直面部３５４とを一体に含み、一枚物の板金を曲げることにより形成されている。鉛直面部３５４は、右側ベース板３４０の後面の下端部に、ねじ止め等によって固定されている。具体的には、鉛直面部３５４は、右側ベース板３４０の下端部の左右両端部において、右側ベース板３４０にねじ締結されている。すなわち、右側板金部材３４１は、右側ベース板３４０の左右両端部において、右側ベース板３４０を直接支持している。
【０１２４】
右側板金部材３４１の水平面部３５３は、後述するレールシャフト３８６（図２７等参照）に対して左右方向にスライド可能に取り付けられた右側スライダ３６９にねじ止め等によって固定されている。右側板金部材３４１は、右側ベース板３４０を鉛直姿勢に支持する。
右側スライダ３６９は、左右方向に長い長尺部材である。右側スライダ３６９は、多数の歯が左右方向に並ぶ歯部３７０を含む。歯部３７０は、右側スライダ３６９の下面に形成されている。歯部３７０は、第２の駆動モータ２２２（図３０Ｂ参照）に連結された右側駆動部材（図示しない）の歯部に噛み合う。第２の駆動モータ２２２の駆動により、右側スライダ３６９が左右方向にスライドし、これにより、右部ユニット３０５が退避位置（図２０に示す位置）と表示位置（図２１等に示す位置）との間で左右方向にスライドされる。すなわち、右側スライダ３６９は、右部ユニット３０５を、任意の左右方向位置において鉛直姿勢に保持する。
【０１２５】
右側板金部材３４１には、水平面部３５３から鉛直面部３５４に跨る複数本の膨らみ部３５５が形成されている。膨らみ部３５５は、補強のために設けられている。
右側板金部材３４１には、水平面部３５３の右端から右方に向けて延びる右側検出片部３６８が設けられている。右側検出片部３６８は水平面部３５３と一体に形成されている。
【０１２６】
右側飾り３４２は、前後方向に直交する方向に延びる板状であり、平面視で、上下方向に細長い長方形をなしている。右側飾り３４２は、樹脂材料（たとえば、ポリカーボネイト（ＰＣ）やＡＢＳ樹脂、アクリル樹脂）を用いて形成されている。右側飾り３４２は、ミサイルの中央寄りの右部分を模した外観を有している。
右側飾り３４２は、下位置（図２０および図２１に示す位置）と、上位置（図２２に示す位置）との間で昇降（上下動）可能に設けられている。具体的には、右側飾り３４２の後面の左側縁には、後方に向けて突出する上下一対の右側ピン３５６，３５７が配置されている。第１および第２の右側ピン３５６，３５７は、右側飾り３４２と一体に形成されている。第１の右側ピン３５６および第２の右側ピン３５７は、それぞれ第１および第２の右側ガイド凹部３４６，３４７に嵌っている。第１および第２の右側ガイド凹部３４６，３４７は、第１の右側ピン３５６および第２の右側ピン３５７の各々に係合し、第１の右側ピン３５６および第２の右側ピン３５７の各々を、各右側ガイド凹部３４６，３４７の延びる方向に沿う動き（すなわち、上下動）にガイドする。
【０１２７】
また、右側飾り３４２の上端部には、右側拡大軸（図示しない）が挿通するための右側軸挿通穴３５８が形成されている。右側軸挿通穴３５８は、右側飾り３４２の上端部から右方に向けて突出する右側軸支持部３５８ａに形成されている。
右側拡大飾り３４３は、前後方向に直交する方向に延びる板状であり、平面視で、上下方向に細長い長方形をなしている。右側拡大飾り３４３は、樹脂材料（たとえば、ポリカーボネイト（ＰＣ）やＡＢＳ樹脂、アクリル樹脂）を用いて形成されている。右側拡大飾り３４３は、その前面が、ミサイルの右端部分を模した外観を有している。
【０１２８】
右側拡大飾り３４３は、右側飾り３４２を介して右側ベース板３４０の前面に取り付けられている。具体的には、右側拡大飾り３４３の後面の上端部には、前後方向に延びる右側拡大軸（図示しない）取り付けられており、右側拡大軸が、右側軸挿通穴３５８に挿通される。右側拡大飾り３４３は、右側拡大軸により、当該右側拡大軸を中心として回動可能に設けられている。右側拡大飾り３４３は、右側飾り３４２に対し、非拡大姿勢（図２０および図２１に示す位置）と、通常位置よりも側方（右方）に広がる拡大姿勢（図２２に示す位置）との間で姿勢変更可能に設けられている。また、右側拡大飾り３４３は、右側飾り３４２の昇降動作に連動して昇降する。
【０１２９】
右側上飾り３４４は、右側ベース板３４０の前面の上面にねじ止め等により固定されている。右側上飾り３４４は、右側飾り３４２や右側拡大飾り３４３よりも一段後方寄りに配置されている。
右部ユニット３０５は、さらに、右側飾り３４２および右側拡大飾り３４３を、右側ベース板３４０に対して昇降（スライド）させる右側昇降リンク部材３６３とを含む。右側昇降リンク部材３６３は、右側ベース板３４０の前面の右側昇降リンク装着領域３４５に、右側ベース板３４０に対して昇降可能に取り付けられている。右側昇降リンク部材３６３は、右部ユニット３０５が表示位置（図２１および図２２に示す位置）に配置されている状態で、後述する昇降スライダ３８３（図２９等参照）等を介して、第３の駆動モータ２２３（図３０Ｂ参照）に連結されている。この状態で、右側昇降リンク部材３６３は、下位置（図２９に示す位置）と、上位置（図３０Ａに示す位置）との間で昇降させられる。
【０１３０】
右側昇降リンク部材３６３は、上下方向に細長い部材であり、樹脂材料（たとえば、ポリカーボネイト（ＰＣ）やＡＢＳ樹脂、アクリル樹脂）を用いて形成されている。右側昇降リンク部材３６３は、多数の歯が上下方向に並ぶ右歯部３６４を含む。右歯部３６４は、右側昇降リンク部材３６３の右側側面に形成されている。右歯部３６４は、右側飾り３４２の後面に固定的に取り付けられた右側係合爪（図示しない）に噛み合う。右側昇降リンク部材３６３は、上下方向に長い第４の右側ガイド凹部３６５と、上下方向に長い第５の右側ガイド凹部３６６とを含む。右側昇降リンク部材３６３の後面の下端部には、後方に向けて突出する右側リンク係合ピン３６７が設けられている。右側リンク係合ピン３６７は、右側昇降リンク部材３６３の本体部と一対に形成されている。
【０１３１】
右側昇降リンク部材３６３の昇降動作に伴って、右歯部３６４に噛み合う右側係合爪を介して、右側飾り３４２に上向きまたは下向きの力が加わる。また、前述のように第１および第２の右側ガイド凹部３４６，３４７が、第１の右側ピン３５６および第２の右側ピン３５７を介して右側飾り３４２を上下方向にガイドする。そのため、右側昇降リンク部材３６３の昇降動作に伴って、右側飾り３４２も昇降する。
【０１３２】
また、右側飾り３４２および右側拡大飾り３４３の上部の双方が、右側拡大軸（図示しない）によって支持されているので、右側飾り３４２の昇降動作に伴って、右側拡大飾り３４３も昇降（上下動）する。前述のように第３の右側ガイド凹部３４８が上下方向部３１９と傾斜部３２０とを含んでおり、かつ、第３の右側ガイド凹部３４８が第３の右側ピン３５９を第３の右側ガイド凹部３４８の延びる方向（すなわち、上下方向または斜め方向）にガイドする。これに伴い、右側拡大飾り３４３は右側拡大軸周りに回動する。すなわち、右側拡大飾り３４３の昇降に伴って、右側拡大飾り３４３は右側拡大軸周りに回動する。すなわち、右側飾り３４２の昇降動作に伴って、右側拡大飾り３４３は姿勢変更させられる。
【０１３３】
前述のように、右側拡大飾り３４３は、非拡大姿勢（図２０および図２１に示す姿勢）と、拡大姿勢（図２２に示す姿勢）との間で姿勢変更可能に設けられている。右側昇降リンク部材３６３が下位置（図２９に示す位置）に配置されているときには、右側拡大飾り３４３は非拡大姿勢をなし、右側昇降リンク部材３６３が上位置（図３０Ａに示す位置）に配置されているときには、右側拡大飾り３４３は拡大姿勢をなす。
【０１３４】
なお、右側昇降リンク部材３６３の高さ位置の上限は、第４および第５の右側ピン３５１，３５２がそれぞれ第４および第５の右側ガイド凹部３６５，３６６の上端縁に係合することにより規制される。また、右側昇降リンク部材３６３の高さ位置の下限は、第４および第５の右側ピン３５１，３２２がそれぞれ第４および第５の右側ガイド凹部３６５，３６６の下端縁に係合することにより規制される。
【０１３５】
右部ユニット３０５は、右部基板３４２と、右部基板３４２に電源や信号を供給するための右部配線３４３とをさらに含む。右部基板３４２は、右側ベース板３４０の後面の略全域に配置される。
図２７および図２８は、可動役物装置３０１に含まれる、上部ユニット３０２および下部ユニット３０３の斜視図である。図２９は、閉下状態における、可動役物装置３０１の要部を示す斜視図である。図３０Ａは、閉上状態における、可動役物装置３０１の要部を示す斜視図である。
【０１３６】
図２７および図２８に示すように、上部ユニット３０２は、上部ガイド３７１と、左部ユニット基板３７２と、右部ユニット基板３７３とを含む。上部ガイド３７１は、左右方向に長い長尺部材である。上部ガイド３７１は、左部ユニット３０４および右部ユニット３０５の上端部に接触して、左部ユニット３０４および右部ユニット３０５がそれぞれ左右方向にスライドするように、左部ユニット３０４および右部ユニット３０５の各上端部をガイドする。左部ユニット基板３７２および右部ユニット基板３７３は、上部ガイド３７１の前面の左右両端部にそれぞれ取り付けられている。
【０１３７】
図２７および図２８に示すように、下部ユニット３０３は、役物機構ベース３８１と、役物機構ユニット３８２と、昇降スライダ３８３と、ハーネスカバー３８４と、電飾基板３８５とを含む。役物機構ベース３８１は、左右方向に長い長尺部材である。
役物機構ベース３８１は、左右方向に長い長尺部材である。役物機構ベース３８１は、左右方向に延びるレールシャフト３８６を有している。レールシャフト３８６はたとえば丸棒である。レールシャフト３８６には、左部ユニット３０４の左側スライダ（図示しない）、および右部ユニット３０５の右側スライダ（図示しない）が、それぞれ左右方向にスライド可能に取り付けられている。
【０１３８】
図２７および図２８に示すように、役物機構ユニット３８２は、左右方向に長い長尺部材である。役物機構ユニット３８２は、役物機構ベース３８１の前面を覆うように、役物機構ベース３８１にねじ等により固定されている。役物機構ベース３８１の左右両端部には、第１の位置センサ３８７（図３０Ｂ参照）を収容する第１のセンサ収容部３８８、および第２の位置センサ３８９（図３０Ｂ参照）を収容する第２のセンサ収容部３９０がそれぞれ設けられている。第１の位置センサ３８７（図３０Ｂ参照）は、左部ユニット３０４の退避位置（図２０に示す位置）への配置状態において、左側板金部材３１１の左側検出片部３３８を検出する。第２の位置センサ３８９（図３０Ｂ参照）は、右部ユニット３０５の退避位置（図２１等に示す位置）への配置状態において、左側板金部材３１１の右側検出片部３６８を検出する。
【０１３９】
図２７および図２８に示すように、役物機構ユニット３８２の前面の左右方向中央部には、次に述べる昇降スライダ３８３の係合ピン３９５が挿通するスライドガイド凹部３９１が上下方向に延びて形成されている。スライドガイド凹部３９１は、係合ピン３９５に係合し、昇降スライダ３８３を上下方向にガイドする。
昇降スライダ３８３は、左右方向に長手を有する本体部３９２と、本体部３９２の左端部に設けられた鉤状の左係合部３９３と、本体部３９２の右端部に設けられた鉤状の右係合部３９４と、本体部３９２の中央部の後面から後方に向けて突出する係合ピン３９５とを含む。本体部３９２、左係合部３９３、右係合部３９４および係合ピン３９５は、樹脂材料（たとえば、ポリカーボネイト（ＰＣ）やＡＢＳ樹脂、アクリル樹脂）を用いて一体に設けられている。
【０１４０】
図２９および図３０Ａに示すように、昇降スライダ３８３は、リンク部材（図示しない）およびリンクカム３９６を介して、第３の駆動モータ２２３（図３０Ｂ参照）に連結されている。第３の駆動モータ２２３は、リンクカム３９６を、第１の状態（図２９に示す状態）と第２の状態（図３０Ａに示す状態）との間で回動させる。リンクカム３９６が第１の状態にあるときには、リンク部材（図示しない）を介して昇降スライダ３８３が下位置（図２９に示す位置）に配置される。一方、リンクカム３９６が第２の状態（図２９に示す状態）にあるときには、リンク部材（図示しない）を介して昇降スライダ３８３が上位置（図３０Ａに示す位置）に配置される。
【０１４１】
図２９および図３０Ａに示すように、左係合部３９３は、左部ユニット３０４の表示位置への配置状態において、左側リンク係合ピン３３７に係合する。また、右係合部３９４は、右部ユニット３０５の表示位置への配置状態において、右側リンク係合ピン３６７に係合する。
図２７および図２８に示すように、ハーネスカバー３８４は、役物機構ユニット３８２の前面の左右方向中央部に装着されている。電飾基板３８５は、役物機構ユニット３８２の前面の左端部に装着されている。
【０１４２】
図２０〜図２２に示すように、可動役物装置３０１は、開状態（図２０に示す状態）と閉下状態（図２１に示す状態）との間で遷移可能であり、閉下状態と閉上状態（図２２に示す状態）との間で遷移可能である。しかしながら、可動役物装置３０１を、開状態と閉上状態との間で遷移させるためには、閉下状態を経由する必要があり、可動役物装置３０１を開状態と閉上状態との間でダイレクトに遷移させることはできない。
【０１４３】
可動役物装置３０１を開状態から閉下状態に移行するには、第１の駆動モータ２２１（図３０Ｂ参照）は、左側スライダ（図示しない）を駆動して、左部ユニット３０４を退避位置（図２０に示す位置）から表示位置（図２１に示す位置）に引き出す。また、第２の駆動モータ２２２（図３０Ｂ参照）は、右側スライダ（図示しない）を駆動して、右部ユニット３０５を退避位置（図２０に示す位置）から表示位置（図２１に示す位置）に引き出す。この状態で、第２の可動役物４９はミサイル発射前の待機状態を模している。
【０１４４】
この状態で、図２９に示すように、左部ユニット３０４の左側昇降リンク部材３３３の左側リンク係合ピン３３７が、昇降スライダ３８３の左係合部３９３に係合する。また、右部ユニット３０５の右側昇降リンク部材３６３の右側リンク係合ピン３６７が、昇降スライダ３８３の右係合部３９４に係合する。この状態では、昇降スライダ３８３の昇降動作に連動して、左側昇降リンク部材３３３を介して左部ユニット３０４が昇降可能になり、かつ右側昇降リンク部材３６３を介して右部ユニット３０５が昇降可能になる。
【０１４５】
その後、第３の駆動モータ２２３（図３０Ｂ参照）が、リンクカム３９６を、第１の状態（図２９に示す状態）から第２の状態（図３０Ａに示す状態）に回動させると、昇降スライダ３８３を下位置（図２１および図２９に示す位置）から上位置（図２２および図３０Ａに示す位置）に上昇させられる。昇降スライダ３８３の上昇に伴って、左側昇降リンク部材３３３および右側昇降リンク部材３６３が上昇し、この上昇動作に連動して、飾り３１２，３４２が下位置から上位置に上昇させられ、かつ拡大飾り３１３，３４３が非拡大姿勢から拡大姿勢に姿勢変更される。これにより、飾り３１２，３４２，３１３，３４３が図３０Ａに示すような状態を示す。この状態で、第２の可動役物４９は、ミサイル発射後の浮上状態を模している。
【０１４６】
図３０Ｂは、遊技機１の電気的構成を示すブロック図である。
遊技機１は、当該遊技機１の統括的な動作制御を司る主制御基板２０１と、演出制御を司る演出制御基板２０２と、遊技機１から遊技球を払い出すための払出制御基板２０３とを備えている。
払出制御基板２０３は、ＣＰＵ２０３Ａ、ＲＡＭ２０３Ｂ、ＲＯＭ２０３Ｃ等を含むマイクロコンピュータを備えており、主制御基板２０１に直接接続されている。払出制御基板２０３には、賞球払出装置２００が制御対象として接続されている。
【０１４７】
演出制御基板２０２は、演出インターフェイス基板２０４を介して主制御基板２０１に接続されている。演出制御基板２０２はＣＰＵ２０２Ａ、ＲＡＭ２０２ＢおよびＲＯＭ２０２Ｃを含むマイクロコンピュータを備えている。演出制御基板２０２には、演出インターフェイス基板２０４を介して、第１液晶表示制御基板２０５および第２液晶表示制御基板２０６が接続されている。第１液晶表示制御基板２０５は、ＣＰＵ２０５Ａ、ＲＡＭ２０５ＢおよびＲＯＭ２０５Ｃを含むマイクロコンピュータを備えている。第１液晶表示制御基板２０５には、第１の液晶表示装置２２Ａが制御対象として接続されている。第２液晶表示制御基板２０６は、ＣＰＵ２０６Ａ、ＲＡＭ２０６ＢおよびＲＯＭ２０６Ｃを含むマイクロコンピュータを備えている。第２液晶表示制御基板２０６には、第２の液晶表示装置２２Ｂが制御対象として接続されている。なお、第１液晶表示制御基板２０５および第２液晶表示制御基板２０６に代えて、１つの液晶表示制御基板を設け、当該液晶表示制御基板が、第１の液晶表示装置２２Ａおよび第２の液晶表示装置２２Ｂの双方の液晶表示を制御してもよい。
【０１４８】
主制御基板２０１は、ＣＰＵ２０１Ａ、ＲＡＭ２０１ＢおよびＲＯＭ２０１Ｃを含むマイクロコンピュータを備えている。主制御基板２０１には、第１特別図柄表示手段４０、第２特別図柄表示手段４１および普通図柄表示手段４２が制御対象として接続されている。また、主制御基板２０１には、第１および第２特別図柄始動口２５，２６（図２参照）への入球をそれぞれ検出するための第１および第２始動口入球センサ２０８，２０９からの検出出力が直接入力されるようになっている。
【０１４９】
また、主制御基板２０１には、遊技盤中継基板２０７を介して、普通図柄ゲート３２（図２参照）を遊技球が通過したことを検出するための普通ゲート通過センサ２１０からの検出出力、ならびに特別入賞口３３（図２参照）に遊技球が入ったことを検出するための可変入賞口入球センサ２１１からの検出出力が入力されるようになっている。
また、主制御基板２０１には、遊技盤中継基板２０７を介して、電動チューリップ役物２７（図２参照）を駆動するための電動チューリップ駆動機構（たとえばソレノイド類を含む）２１３や、特別入賞口３３を開閉する可変入賞口ユニット２１５等が制御対象として接続されている。
【０１５０】
演出インターフェイス基板２０４には、枠中継基板２１４を介して、遊技機１の本体（前扉等）前面等に配設されるスピーカ１２（図１参照）や遊技ランプ１３（図１参照）が、制御対象としてそれぞれ接続されている。
演出制御基板２０２は、主制御基板２０１からの制御コマンドに基づいて、液晶表示装置２２Ａ，２２Ｂの具体的な演出内容を決定し、その演出内容が記された制御コマンドを制御対象に対して出力する。具体的には、演出制御基板２０２から出力される制御コマンドは、演出インターフェイス基板２０４を介して、第１および第２液晶表示制御基板２０５，２０６にそれぞれ与えられる。
【０１５１】
左側モータ６４および右側モータ６９は、演出インターフェイス基板２０４を介して、演出制御基板２０２に接続されている。また、第１の駆動モータ２２１、第２の駆動モータ２２２および第３の駆動モータ２２３は、演出インターフェイス基板２０４を介して、演出制御基板２０２に接続されている。
第１液晶表示制御基板２０５は、演出制御基板２０２から送出される制御コマンド（この場合、液晶制御用の制御コマンド）の内容に基づいて、第１の液晶表示装置２２Ａの表示を制御する。第２液晶表示制御基板２０６は、演出制御基板２０２から送出される制御コマンド（この場合、液晶制御用の制御コマンド）の内容に基づいて、第２の液晶表示装置２２Ｂの表示を制御する。
【０１５２】
また、演出制御基板２０２は、左側モータ６４および右側モータ６９を駆動して、第１の液晶表示装置２２Ａおよび第２の液晶表示装置２２Ｂを昇降させる。また、演出制御基板２０２は、第１の駆動モータ２２１および第２の駆動モータ２２２を駆動して、可動役物装置３０１を、開状態（図２０に示す状態）と閉下状態（図２１に示す状態）との間で姿勢変更させる。さらに、演出制御基板２０２は、第３の駆動モータ２２３を駆動して、可動役物装置３０１を、閉下状態（図２１に示す状態）と閉上状態（図２２に示す状態）との間で姿勢変更させる。
【０１５３】
図３１〜図４１は、演出領域Ｐの要部を示す正面図である。
図３１に示すように、特別図柄表示手段４０，４１（図２参照）の変動動作中は、液晶表示機構２２の液晶表示領域に演出図柄の変動動作が行われる。リーチ状態成立前には、図３１に示すように、演出制御基板２０２のＣＰＵ２０２Ａ（図３０Ｂ参照）は、第１および第２の液晶表示装置２２Ａ，２２Ｂを、第１の液晶昇降状態（図１０に示す状態）に配置している。この第１の液晶昇降状態では、第１の液晶表示装置２２Ａの第１の上表示部９０（たとえば「ちゃーんす」というメッセージが記載）は、装飾部材４７によって覆われ、前方にいる遊技者から視認することはできない。また、この状態では、第１の液晶表示装置２２Ａの第１の下表示部９１（たとえば「大戦争」という表示が記載）は演出領域Ｐの中央部に位置しており、そのため、前方にいる遊技者が第１の下表示部９１を視認できる。
【０１５４】
図３１に示すように、リーチ状態成立前の変動状態では、第１の液晶表示装置２２Ａの第１の液晶表示領域２３Ａに所定の背景画像２３１を含む画像が表示されている。第１の液晶表示領域２３Ａには、たとえば３つの図柄表示領域２２Ｌ，２２Ｃ，２２Ｒが左右に並んで設定されている。そして、特別図柄表示手段４０，４１の変動動作中は、３つの図柄表示領域２２Ｌ，２２Ｃ，２２Ｒにおいて、複数種の演出図柄（たとえば「０」〜「９」などの数字図柄や、キャラクタ図柄等）がスクロール表示されることにより、演出図柄の変動動作が行われる。図３１等における、各図柄表示領域２２Ｌ，２２Ｃ，２２Ｒに示す「↓」は、それらの図柄表示領域２２Ｌ，２２Ｃ，２２Ｒの演出図柄が変動していることを示している。
【０１５５】
３つの図柄表示領域２２Ｌ，２２Ｃ，２２Ｒにおいて、変動開始後、所定時間が経過すると、３つの図柄表示領域２２Ｌ，２２Ｃ，２２Ｒにおける変動動作が予め定める順序で停止されていき、最終的に、各図柄表示領域２２Ｌ，２２Ｃ，２２Ｒに１つの演出図柄が停止した状態で表示されることにより、大当たり判定の結果を表す演出図柄の組合せが液晶表示領域に表示される。また、リーチ状態成立前には、第２の液晶表示領域２３Ｂに所定のキャラクタ画像２４１を含む所定の画像が表示される。
【０１５６】
図３２には、液晶表示領域の２つの図柄表示領域２２Ｌ，２２Ｒに演出図柄が停止表示され、残り１つの図柄表示領域２２Ｃに演出図柄が停止表示されることによって大当たりかハズレかが判明するいわゆるリーチ状態を示す。リーチ状態に成立すると、図３３に示すように、残り１つの図柄表示領域２２Ｃに、当たりとなる図柄が停止するか否か（たとえば、リーチ状態にある図柄と同一種別の図柄が停止するか否か）のリーチ演出が行われる。
【０１５７】
リーチ演出の開始時には、演出制御基板２０２のＣＰＵ２０２Ａ（図３０Ｂ参照）は、第１および第２の液晶表示装置２２Ａ，２２Ｂを、図３３に示すように、第３の液晶昇降状態（図１２に示す状態）に配置する。第１および第２の液晶表示装置２２Ａ，２２Ｂの第３の液晶昇降状態では、前方にいる遊技者からは第１の液晶表示装置２２Ａのみしか視認できない。そして、この状態では、図３３に示すように、第１の液晶表示装置２２Ａの第１の上表示部９０（たとえば「ちゃーんす」というメッセージが記載）および第１の下表示部９１（たとえば「大戦争」という表示が記載）の双方が、前方にいる遊技者から視認できる。すなわち、第１の液晶表示装置２２Ａの第１の上表示部９０により、遊技者に有利な状態であることが遊技者に対して報知される。これにより、遊技者の興趣が向上する。
【０１５８】
図３３に示す動作の後、演出制御基板２０２のＣＰＵ２０２Ａは、第１および第２の液晶表示装置２２Ａ，２２Ｂを、再度、第１の液晶昇降状態（図１０に示す状態）に配置する。そして、さらなるリーチ演出を行う、このときのリーチ演出は、たとえば、図３４に示すような、第１の液晶表示領域２３Ａと第２の液晶表示領域２３Ｂとの間に、所定のキャラクタ画像２４２が跨るような演出である。その後、残り１つの演出図柄が停止表示される。
【０１５９】
図３５のように、残り１つの演出図柄は、第２の液晶表示領域２３Ｂに停止表示される。第２の液晶表示領域２３Ｂに停止表示される演出図柄が、液晶表示領域の２つの図柄表示領域２２Ｌ，２２Ｒに停止されている演出図柄と同じである場合には、大当たり用の演出図柄の組合せが表示されたとして、その後に、大当たり遊技が実行される。
この実施形態では、大当たり用の演出図柄の組合せの表示後（当たりの確定後）に、当たり図柄の図柄種別を決定する演出である再抽選が行われる。
【０１６０】
再抽選を実行する場合には、演出制御基板２０２のＣＰＵ２０２Ａ（図３０Ｂ参照）は、第１および第２の液晶表示装置２２Ａ，２２Ｂを、第２の液晶昇降状態（図１１に示す状態）に配置する。そして、仮に決定されている大当たり用の演出図柄の組合せ（図３６では「１」「１」「１」の組合せ）を、図３６に示すように、下側に位置している第１の液晶表示領域２３Ａに表示する。この状態では、第１の液晶表示装置２２Ａの第１の上表示部９０（たとえば「ちゃーんす」というメッセージが記載）は演出領域Ｐの中央部に位置しており、そのため、前方にいる遊技者が第１の上表示部９０を視認できる。すなわち、第１の液晶表示装置２２Ａの第１の上表示部９０により、遊技者に有利な状態であることが遊技者に対して報知される。これにより、遊技者の興趣が向上する。
【０１６１】
その後、演出制御基板２０２のＣＰＵ２０２Ａは、図３７に示すように、演出ボタン１０ａ（図１参照）の操作を遊技者に促すためのイラスト２４３、およびボタン演出モードの開始を遊技者に報知するメッセージ２４４を第１の液晶表示領域２３Ａに表示した後、図３８に示すように、最終的な当たり図柄を第１の液晶表示領域２３Ａに表示する。
その後、演出制御基板２０２のＣＰＵ２０２Ａは、図３９に示すように、第１および第２の液晶表示装置２２Ａ，２２Ｂを第１の液晶昇降状態に戻して、最終的な当たり図柄を表示している第１の液晶表示領域２３Ａを上位置に戻した後、第１及び第２の駆動モータ２２１，２２２（図３０Ｂ参照）を制御して、可動役物装置３０１を開状態から閉下状態に姿勢変更させる。これにより、図４０に示すように、正面視で演出領域Ｐ（液晶表示機構２２（図２参照）の前方）に、第２の可動役物４９が出現する。この第２の可動役物４９の出現により、ミサイルの発射待機状態の演出を行うことができる。
【０１６２】
次いで、演出制御基板２０２のＣＰＵ２０２Ａ（図３０Ｂ参照）は、第３の駆動モータ２２３（図３０Ｂ参照）を制御して、図４１に示すように、可動役物装置３０１を、閉下状態から閉上状態に姿勢変更させる。これにより、第２の可動役物４９を用いて、ミサイルが発射される演出を行うことができる。
なお、可動役物装置３０１の動作は、第１および第２の液晶表示装置２２Ａ，２２Ｂを第２の液晶昇降状態に配置したまま行うようにしてもよい。その後、大当たり遊技が実行される。
【０１６３】
また、リーチ成立時（図３３参照）に、第１および第２の液晶表示装置２２Ａ，２２Ｂを、第３の液晶昇降状態ではなく、第２の液晶昇降状態に配置するようにしてもよい。
さらに、再抽選時（図３６〜図３８参照）に、第１および第２の液晶表示装置２２Ａ，２２Ｂを、第２の液晶昇降状態ではなく、第３の液晶昇降状態に配置するようにしてもよい。
【０１６４】
以上により、この実施形態によれば、装飾カバー７２，１２２および板金部材７３，１２３は、液晶パネル７１，１２１を前後から挟んで収容支持する。板金部材７３，１２３の強度および剛性が高いので、装飾カバー７２，１２２および板金部材７３，１２３は、高い強度および高い剛性を維持しながら液晶パネル７１，１２１を支持できる。これにより、上下方向に移動可能な液晶表示装置２２Ａ，２２Ｂにおいて、液晶パネル７１，１２１を良好に支持できる。
【０１６５】
また、板金部材７３，１２３の周縁部対向領域１００，１５０が、液晶パネル７１，１２１の周縁部を直接支持する。そのため、より一層高い強度および高い剛性を維持しながら液晶パネル７１，１２１を支持できる。
また、板金部材７３，１２３の平板状の平板状部９６，１４６は、液晶パネル７１，１２１の後面における周縁部を除く領域に少なくとも対向している。換言すると、平板状部９６，１４６の大部分が平板状に設けられている。この場合、板金部材７３，１２３の全体厚みを薄くできるから、液晶表示装置２２Ａ，２２Ｂの、前後方向（厚み方向）への小型化を図ることができる。
【０１６６】
また、液晶パネル７１，１２１の移動に同伴して、アース手段としての板金部材７３，１２３が移動する。また、隅導電部材７４，１２４によって、液晶パネル７１，１２１と板金部材７３，１２３との間の導通が達成されている。そのため、液晶パネル７１，１２１の上下方向位置の如何によらずに、液晶パネル７１，１２１と板金部材７３，１２３との導通を図ることができる。これにより、液晶パネル７１，１２１の上下方向位置の如何によらずに、液晶パネル７１，１２１における帯電を防止できる。ゆえに、液晶パネル７１，１２１の移動に伴うノイズの発生の抑制または防止を図ることができる。
【０１６７】
また、液晶パネル７１，１２１を後方から支持する補強用の板金部材７３，１２３がアース手段を兼ねるので、補強用部材とアース手段とを個別に設ける場合と比較して、部品点数の低減を図ることができる。その結果、コストダウンを図ることができる。
また、左部ユニット３０４および右部ユニット３０５が、それぞれ、樹脂製の左側ベース板３１０および右側ベース板３４０と、ベース板３１０，３４０に固定された左および板金部材３１１，３４１と、板金部材３１１，３４１を介してベース板３１０，３４０を支持する左側および右側スライダ（図示しない）とを含む。そのため、ベース板３１０，３４０の剛性を高く維持できる。とくにこの実施形態では、板金部材３１１，３４１は、ベース板３１０，３４０の左右両端部において、ベース板３１０，３４０を直接支持している。そのため、ベース板３１０，３４０の剛性をより一層高く保つことができる。したがって、左部ユニット３０４および右部ユニット３０５の強度を、それぞれ高く保つでき、ゆえに、左部ユニット３０４および右部ユニット３０５をそれぞれ高速で移動させることが可能である。
【０１６８】
第２の可動役物４９の演出の開始時（図４０等参照）および当該演出の終了時には、それぞれ、左部ユニット３０４および右部ユニット３０５を、退避位置（図２０に示す位置）から表示位置（図２１等に示す位置）まで移動させ、または左部ユニット３０４および右部ユニット３０５を表示位置から退避位置まで移動させる必要がある。この場合、演出の興趣を向上させるべく、左部ユニット３０４および右部ユニット３０５の、退避位置から表示位置までの移動動作、および表示位置から退避位置までの移動動作を、それぞれ高速で行う必要がある。この実施形態では、左部ユニット３０４および右部ユニット３０５の強度が高く保たれているので、左部ユニット３０４および右部ユニット３０５に不具合を生じさせることなく、左部ユニット３０４および右部ユニット３０５のそれぞれを高速で移動させることができる。
【０１６９】
また、この実施形態によれば、前述のように、複数の後側規制突起４６６を有する後側規制突起群４６１が、右流下通路３６の後面に配置されている。また、複数の前側規制突起４６８を有する前側規制突起群４６２が、右流下通路３６の前面に配置されている。後側規制突起群４６１および前側規制突起群４６２が右流下通路３６を流下する遊技球Ｂに当たることにより、右流下通路３６を流下する遊技球Ｂの速度を低下させることができる。規制突起群４６１，４６２が、右流下通路３６の後面だけでなく右流下通路３６の前面にも配置されているので、右流下通路３６を流下する遊技球Ｂが後側規制突起群４６１に当たって前方へ弾かれることを抑制または防止できる。これにより、右流下通路３６において、遊技球Ｂを、不規則な動きなくスムーズに流下させることができる。ゆえに、右流下通路３６において、遊技球Ｂを良好に減速させながらスムーズに流下させることができる。
【０１７０】
また、前述のように、複数の前面壁片４６７と複数の後面壁片４６５とが互いに前後に重複せずに設けられている。仮に、複数の前面壁片４６７と複数の後面壁片４６５とが前後に重複して設けられていると、後側規制突起群４６１および前側規制突起群４６２の双方が遊技球Ｂに同時期に当たることにより、当該遊技球Ｂの流速が極端に低減するおそれがある。この場合、右流下通路３６における遊技球Ｂの流れを却って阻害するおそれがある。これに対し、この実施形態では、複数の前面壁片４６７と、複数の後面壁片４６５とが互いに前後に重複せずに設けられているので、右流下通路３６を流下する遊技球Ｂの速度が低くなり過ぎることを抑制または防止できる。
【０１７１】
また、前述のように、複数の前面壁片４６７と複数の後面壁片４６５とが流下方向Ｄ１に関し交互に設けられているために、右流下通路３６が前後方向に関し蛇行している。そのため、右流下通路３６を流下する遊技球Ｂの速度を効果的に低く抑えることができる。
また、前述のように、前側規制突起群４６２における複数の前側規制突起４６８の配置間隔（第２の間隔Ｗ２）は、後側規制突起群４６１における複数の後側規制突起４６６の配置間隔（第１の間隔Ｗ１）よりも幅広に設定されている。この実施形態では、前面壁４６４および前側規制突起４６８が透明であるため、弾球遊技機１の前側から、右流下通路３６を流下する遊技球Ｂを視認することが可能である。各前側規制突起４６８には相応の突出厚み（すなわちリブ高さ）があるので、仮に前側規制突起４６８の配置間隔Ｗ２が狭く設定されると、右流下通路３６を流下する遊技球Ｂを良好に視認できないおそれがある。この実施形態では、複数の前側規制突起４６８の配置間隔Ｗ２が比較的幅広に設定されているので、右流下通路３６を流下する遊技球Ｂを良好に視認できる。しかも、複数の後側規制突起４６６の配置間隔が比較的狭く設定されているので、右流下通路３６を流下する遊技球Ｂの減速を十分に図ることができる。ゆえに、右流下通路３６を流下する遊技球Ｂを前方から良好に視認させながら、右流下通路３６を流下する遊技球Ｂを、良好に減速させることができる。
【０１７２】
また、この実施形態では、複数の側方規制突起４６９を有する側方規制突起群４７０が、右流下通路３６の内側の周面（左右方向一側面）に配置されている。側方規制突起群４７０が右流下通路３６を流下する遊技球Ｂに当たることによっても、右流下通路３６を流下する遊技球Ｂの速度を低下させることができる。これにより、右流下通路３６を流下する遊技球Ｂの速度を効果的に低下させることができる。また、右流下通路壁４５５のうち側方規制突起群４７０が形成される側方規制突起群形成領域が前面壁片４６７に隣り合わないように設けられている。そのため、右流下通路３６における前面壁片４６７に対応する領域には、規制突起として前側規制突起群４６２しか設けられないから、当該領域を流下する遊技球Ｂを、効果的に後側へと案内することができる。これにより、右流下通路３６を流下する遊技球Ｂが後側規制突起群４６１に当たって前方へ弾かれることを、より効果的に抑制または防止できる。
【０１７３】
また、右流下通路３６の後方には、１または複数の光源４７５が配置されているから、弾球遊技機１の前側から、遊技者が光源４７５からの光を視認可能である。換言すると、右流下通路３６を表示ランプユニットとして用いることができる。これにより、右流下通路３６の有効活用を図ることができる。
以上、この発明の一実施形態について説明したが、この発明は他の形態で実施することもできる。
【０１７４】
たとえば、板状部材に設けられる穴部として、軽量化用の穴部、放熱用の穴部および配線引き回し用の穴部の３種類を例に挙げて説明したが、これらのうちの少なくとも１種類の穴部を備えていればよい。
また、可動式の第１の液晶表示装置２２Ａおよび第２の液晶表示装置２２Ｂは、上下方向にスライドさせるものに限られず、前後方向に交差する所定の方向にスライドさせるものにも本発明を適用できる。
【０１７５】
また、前述の実施形態では、第１の液晶表示装置２２Ａおよび第２の液晶表示装置２２Ｂの双方に本発明を適用するものについて説明したが、第１の液晶表示装置２２Ａおよび第２の液晶表示装置２２Ｂの一方のみに本発明を適用するようにしてもよい。
また、前述の実施形態では、板金部材７３，１２３がアース手段を兼ねる構成について説明したが、補強用の板金部材７３，１２３とは別に、液晶パネル７１，１２１の昇降に同伴して昇降可能なアース手段が設けられていてもよい。
【０１７６】
また、隅導電部材７４，１２４として、導電スポンジ以外の導電部材を採用してもよい。  また、隅導電部材７４，１２４として、シート材の部材を採用してもよい。
さらに、他の形態で実施することもできる。たとえば、図４２に示すように、右流下通路３６の後方に配置される光源４７６が、文字、数字または記号を点灯表示する表示器であってもよい。図４２の例では、光源４７６は、右打ちという文字を表示する。弾球遊技機１において右打ち遊技を行う場合のみ、光源４７６が点灯表示されるようになっている。
【０１７７】
また、図９および図４２では、上側の前面壁片４６７Ａの後方、真ん中の後面壁片４６５Ｂの後方および下側の前面壁片４６７Ｂの後方に、光源４７５，４７６が配置されているが、他の前面壁片４６７や他の後面壁片４６５に光源４７５，４７６が配置されていてもよい。
また、これらの光源４７５，４７６を使用して遊技者に対して右打ち遊技の開始を報知するようにしてもよい。具体的には、通常時の左打ち時から大当りに当選し、その大当りが右打ち遊技である場合には、大当りの開始前インターバル期間中に、光源４７５，４７６を発光させて右打ち遊技である旨を示唆／報知するようにしてもよい。好適には、上部に位置する光源４７５，４７６から下部に位置する光源４７５，４７６へと順に点灯させるように示唆／報知することが望ましい。
【０１７８】
また、解除用凹所４７２は、穴でなく、溝によって構成してもよい。また、解除用凹所４７２を最上位の後面壁片４６５に配置する場合を例に挙げて説明したが、他の後面壁片４６５に解除用凹所４７２を配置してもよい。解除用凹所４７２を後面壁４６３に複数設けるようにしてもよい。
また、解除用凹所４７２が設けられていなくてもよい。
【０１７９】
また、後側規制突起群４６１が、各後面壁片４６５の前面の一部のみに配置されていてもよい。後面壁片４６５の個数は、１つまたは２つであってもよいし、４つ以上であってもよい。
また、前側規制突起群４６２が、各前面壁片４６７の後面の一部のみに配置されていてもよい。前面壁片４６７の個数は、２つに限られず、１つや３つ以上であってもよい。
【０１８０】
また、複数の後側規制突起４６６の配置間隔Ｗ１が、複数の前側規制突起の配置間隔Ｗ２と同等か、配置間隔Ｗ２よりも幅広に設定されていてもよい。
また、前述の実施形態では、後面壁４６３、後側規制突起群４６１、前面壁４６４および前側規制突起群４６２が透明であるとして説明したが、後面壁４６３、後側規制突起群４６１、前面壁４６４および前側規制突起群４６２の少なくとも一つが、透明でなく半透明であってもよい。
【０１８１】
また、側方規制突起群形成領域を、前面壁片４６７に隣り合うように設けてもよい。また、側方規制突起群形成領域を、後面壁片４６５に隣り合わないように設けられている。
また、側方規制突起４６９の高さ（第３の高さＨ３）を、後側規制突起４６６の高さ（第１の高さＨ１）や前側規制突起４６８の高さ（第２の高さＨ２）と同等か、これらの高さよりも高く設定してもよい。
【０１８２】
また、側方規制突起群４７０を廃止してもよい。
また、前面壁片４６７と後面壁片４６５とが前後に重複して設けられていてもよい。すなわち、後側規制突起群４６１が形成される後側規制突起群形成領域と、前側規制突起群４６２が形成される前側規制突起群形成領域とが、一部または全部において互いに前後に重複して設けられていてもよい。
【０１８３】
また、後面壁４６３と、前面壁４６４とが別体に設けられていてもよい。すなわち、後側規制突起４６６と前側規制突起４６８とが別体に設けられていてもよい。
規制突起４６６，４６８，４６９は遊技球の速度を軽減する役割があるが、これと併せてセンター役物２４を取り付けるためのルータ孔の隙間／境目や、遊技盤５後方の駆動手段（モーター／ソレノイド等）、異常検知手段（磁気／電波センサ等）が、遊技盤５前側から直接的に視認できないように、これらの視認性を防止させるための視認性防止手段として利用することも考えられる（特に遊技盤を通して遊技盤後方が直視可能な透明遊技盤において、これらの利用効果は高い）。このように利用することで遊技機としての意匠性をより高めることができる。そのため、特に、ルータ孔の隙間／境目や、遊技盤後方の駆動手段、異常検知手段が後方に位置する規制突起群４６１，４６２，４７０に含まれる規制突起４６６，４６８，４６９の規制間隔を、後方にルータ孔の隙間／境目や、遊技盤後方の駆動手段、異常検知手段が後方に位置しない規制突起群４６１，４６２，４７０の規制突起４６６，４６８，４６９の規制間隔よりも、小さくするようにしてもよい。このように規制突起４６６，４６８，４６９の凹凸を密にすることで、視認性防止手段としての効果を高めるようにしてもよい。
【０１８４】
また、逆に、可動体／意匠部の一部又は全部が後方に位置している規制突起群４６１，４６２，４７０に含まれる規制突起４６６，４６８，４６９の規制間隔や突出量を、可動体／意匠部の一部又は全部が位置していない規制突起群４６１，４６２，４７０に含まれる規制突起４６６，４６８，４６９の規制間隔や突出量よりも小さくするようにしてもよい。このように構成することで、後方に位置している可動体／意匠部の視認性を高めることができ、ゆえに、遊技機１の意匠性を高めることができる。また、規制突起群４６１，４６２，４７０ごとに規制間隔や突出量に大小を設けるだけでなく、個々の規制突起群４６１，４６２，４７０内で、規制間隔や突出量に違いを設けるようにしてもよい。
【０１８５】
また、各規制突起４６６，４６８，４６９を、光源（光源４７５）を遊技盤５の前側に導光させるための導光部として利用することもできる。そのため、特に、光源の導出部の一部又は全部が後方に位置する規制突起群の突出量を、光源／光源の導出部の一部又は全部が後方に位置しない規制突起群の突出量よりも大にするようにしてもよい。また、その逆としてもよい。
【０１８６】
また、各規制突起群４６１，４６２，４７０の内側に可動体／意匠部、これらに設けられた光源（光源４７５）の一部又は全部が位置している場合（図２参照）に、これらに設けられた光源からの光を導光するための導光部として利用するようにしてもよい。また、各規制突起群４６１，４６２，４７０は密接に配置されているため、例えば側方規制突起群４７０が導光部として導光した光を後方規制突起群４６１や前方規制突起群４６２がさらに導光することで、より一体的な導光部として機能させることが可能である。
【０１８７】
また、前述の実施形態において、流通路として右流下通路３６を例示したが、流通路は、上部通路３５や屈曲通路３７であってもよい。また、センター役物２４の外側に設けられる、右打ち通路３４以外の流通路に本発明を適用することもできる。
また、流通路はセンター役物２４以外の役物に設けられていてもよい。センター役物２４以外の役物とは、例えばアタッカーユニットや、略円形状の遊技領域の周囲を形成するためのコーナー飾り役物などである。これらセンター役物以外の役物の一部に流通路（流下通路）として前述の規制突起４６６，４６８，４６９を設けるようにしてもよい。
【０１８８】
また、本発明はパチンコ機の他、アレンジボール機、その他の各種の弾球遊技機においても適用できる。
その他、特許請求の範囲に記載された事項の範囲で種々の設計変更を施すことが可能である。
【符号の説明】
【０１８９】
１        ：遊技機
２２Ａ    ：第１の液晶表示装置（可動液晶表示装置）
２２Ｂ    ：第２の液晶表示装置（可動液晶表示装置）
２３Ａ    ：第１の液晶表示領域（液晶表示領域）
２３Ｂ    ：第２の液晶表示領域（液晶表示領域）
７１      ：第１の液晶パネル（液晶表示手段）
７２      ：第１の装飾カバー（前側部材）
７３      ：第１の板金部材
８７      ：第１の包囲枠（支持部）
９６      ：第１の平板状部
１００    ：第１の周縁部対向領域
１０１    ：第１の開口（穴部）
１０２    ：第２の開口（穴部）
１０３    ：第３の開口（穴部）
１０４    ：長穴（穴部）
１０５    ：長穴（穴部）
１２１    ：第２の液晶パネル（液晶表示手段）
１２２    ：第２の装飾カバー（前側部材）
１２３    ：第２の板金部材
１３７    ：第２の包囲枠（支持部）
１４６    ：第２の平板状部
１５０    ：第２の周縁部対向領域
１５１    ：第４の開口（穴部）
１５２    ：第５の開口（穴部）
１５３    ：第６の開口（穴部）
１５４    ：長穴（穴部）
１５５    ：長穴（穴部）
【図１】
2018117683.tif 000003
【図２】
2018117683.tif 000004
【図３】
2018117683.tif 000005
【図４】
2018117683.tif 000006
【図５】
2018117683.tif 000007
【図６】
2018117683.tif 000008
【図７】
2018117683.tif 000009
【図８】
2018117683.tif 000010
【図９】
2018117683.tif 000011
【図１０】
2018117683.tif 000012
【図１１】
2018117683.tif 000013
【図１２】
2018117683.tif 000014
【図１３Ａ】
2018117683.tif 000015
【図１３Ｂ】
2018117683.tif 000016
【図１４】
2018117683.tif 000017
【図１５】
2018117683.tif 000018
【図１６Ａ】
2018117683.tif 000019
【図１６Ｂ】
2018117683.tif 000020
【図１７】
2018117683.tif 000021
【図１８】
2018117683.tif 000022
【図１９Ａ】
2018117683.tif 000023
【図１９Ｂ】
2018117683.tif 000024
【図２０】
2018117683.tif 000025
【図２１】
2018117683.tif 000026
【図２２】
2018117683.tif 000027
【図２３】
2018117683.tif 000028
【図２４】
2018117683.tif 000029
【図２５】
2018117683.tif 000030
【図２６】
2018117683.tif 000031
【図２７】
2018117683.tif 000032
【図２８】
2018117683.tif 000033
【図２９】
2018117683.tif 000034
【図３０Ａ】
2018117683.tif 000035
【図３０Ｂ】
2018117683.tif 000036
【図３１】
2018117683.tif 000037
【図３２】
2018117683.tif 000038
【図３３】
2018117683.tif 000039
【図３４】
2018117683.tif 000040
【図３５】
2018117683.tif 000041
【図３６】
2018117683.tif 000042
【図３７】
2018117683.tif 000043
【図３８】
2018117683.tif 000044
【図３９】
2018117683.tif 000045
【図４０】
2018117683.tif 000046
【図４１】
2018117683.tif 000047
【図４２】
2018117683.tif 000048
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
可動式の可動液晶表示装置と、前記可動液晶表示装置を移動可能に支持する移動装置とを有する遊技機において、
前記可動液晶表示装置が、
液晶表示領域を前面に有する液晶表示手段と、
前記液晶表示手段の後側に位置し、前記液晶表示手段を支持する板金部材とを含み、
前記板金部材が、前記板金部材に一体に設けられた取付け部を介して前記移動装置に結合されていることを特徴とする、遊技機。
【請求項２】
前記可動液晶表示装置は、
前記液晶表示手段の前側に位置し、前記板金部材との間で前記液晶表示手段を前後に挟む前側部材をさらに含み、
前記前側部材および前記板金部材は、前記液晶表示手段を支持する液晶支持手段として機能する、請求項１に記載の遊技機。
【請求項３】
前記前側部材は、前記液晶表示手段の各端面を支持する支持部を有している、請求項２に記載の遊技機。
【請求項４】
前記可動液晶表示装置は、前記前側部材の前記支持部と前記板金部材の前記周縁部の少なくとも一部と、を固定する固定手段をさらに含む、請求項３に記載の遊技機。
【請求項５】
前記板金部材は、前記液晶表示手段の後面の周縁部に対向する周縁部対向領域を有している、請求項１〜４のいずれか一項に記載の遊技機。
【請求項６】
前記板金部材には、軽量化用の穴部、放熱用の穴部および配線引き回し用の穴部のうち少なくとも一種が少なくとも設けられている、請求項１〜５のいずれか一項に記載の遊技機。
【手続補正２】
【補正対象書類名】明細書
【補正対象項目名】０００６
【補正方法】変更
【補正の内容】
【０００６】
前記の目的を達成するための請求項１に記載の発明は、可動式の可動液晶表示装置と、前記可動液晶表示装置を移動可能に支持する移動装置とを有する遊技機において、前記可動液晶表示装置が、液晶表示領域を前面に有する液晶表示手段と、前記液晶表示手段の後側に位置し、前記液晶表示手段を支持する板金部材とを含み、前記板金部材が、前記板金部材に一体に設けられた取付け部を介して前記移動装置に結合されていることを特徴とする、遊技機を提供する。
【手続補正３】
【補正対象書類名】明細書
【補正対象項目名】０００７
【補正方法】変更
【補正の内容】
【０００７】
請求項２に記載の発明は、前記可動液晶表示装置は、前記液晶表示手段の前側に位置し、前記板金部材との間で前記液晶表示手段を前後に挟む前側部材をさらに含み、前記前側部材および前記板金部材は、前記液晶表示手段を支持する液晶支持手段として機能する、請求項１に記載の遊技機である。
【手続補正４】
【補正対象書類名】明細書
【補正対象項目名】０００８
【補正方法】変更
【補正の内容】
【０００８】
請求項３に記載の発明は、前記前側部材は、前記液晶表示手段の各端面を支持する支持部を有している、請求項２に記載の遊技機である。
請求項４に記載の発明は、前記可動液晶表示装置は、前記前側部材の前記支持部と前記板金部材の前記周縁部の少なくとも一部と、を固定する固定手段をさらに含む、請求項３に記載の遊技機である。
請求項５に記載の発明は、前記板金部材は、前記液晶表示手段の後面の周縁部に対向する周縁部対向領域を有している、請求項１〜４のいずれか一項に記載の遊技機である。
【手続補正５】
【補正対象書類名】明細書
【補正対象項目名】００２８
【補正方法】変更
【補正の内容】
【００２８】
図１０〜図１２は、液晶表示機構２２の斜視図である。液晶表示機構２２は、上下方向に移動可能な可動式の第１の液晶表示装置２２Ａと、上下方向に移動可能な可動式の第２の液晶表示装置２２Ｂと、第１の液晶表示装置２２Ａおよび第２の液晶表示装置２２Ｂを昇降可能に支持する昇降装置（移動装置）５１とを含む。第１および第２の液晶表示装置２２Ａ，２２Ｂは、鉛直姿勢をなしている。第１の液晶表示装置２２Ａは、前後方向に関し、第２の液晶表示装置２２Ｂよりも前寄りに配置されている。